(57)【特許請求の範囲】
【請求項１】
コンテンツのうち利用者が視聴する部分の開始位置および終了位置を示す複数の視聴区分を記述したプレイリストを取得する第１取得手段と、
ネットワークに接続され、コンテンツの著作権情報を管理する著作権情報管理装置から前記プレイリストに対応するコンテンツの著作権情報を取得する第２取得手段と、
利用者のコンテンツの視聴内容に関する権利を記述した視聴権利情報を取得する第３取得手段と、
前記第１取得手段で取得したプレイリストから、前記第２取得手段で取得した前記著作権情報と前記第３取得手段で取得した前記視聴権利情報とに基づいて、利用者が視聴する部分の開始位置および終了位置を示す複数の視聴区分を記述した視聴可能プレイリストを作成するプレイリスト作成手段とを備え、
前記著作権情報は、接続情報と命令情報とを含み、
前記接続情報は、２つの視聴区分を連続して再生するための第１規則と、２つの視聴区分を予め定められた前後関係で再生するための第２規則とのうち少なくとも一方を含み、
前記命令情報は、２つの視聴区分のうち一方の視聴区分を再生する場合に他方の視聴区分を再生するための第３規則と、一方の視聴区分を再生する場合に他方の視聴区分の再生を禁止するための第４規則とのうち少なくとも一方を含み、
前記プレイリスト作成手段は、前記視聴権利情報に従って、前記接続情報と前記命令情報とのうち少なくとも一方を選択し、
その選択結果に含まれる規則に従って、前記視聴可能プレイリストを作成することを特徴とするプレイリスト作成装置。
【請求項２】
コンテンツのうち利用者が視聴する部分の開始位置および終了位置を示す複数の視聴区分を記述したプレイリストと、前記プレイリストを一意に識別するためのプレイリスト識別情報とを対応づけて記憶するプレイリスト記憶手段と、
前記プレイリスト識別情報と、利用者のコンテンツの視聴内容に関する権利を記述した視聴権利情報とを、ネットワークに接続され、利用者がコンテンツを視聴する視聴端末装置から受信する端末情報受信手段と、
ネットワークに接続され、コンテンツの著作権情報を管理する著作権情報管理装置から前記著作権情報を受信する著作権情報受信手段と、
前記端末情報受信手段が受信した前記視聴権利情報を記憶する視聴権利情報記憶手段と、
前記著作権情報受信手段が受信した前記著作権情報を記憶する著作権情報記憶手段と、
前記端末情報受信手段が受信した前記プレイリスト識別情報に対応する前記プレイリストを前記プレイリスト記憶手段から検索するプレイリスト検索手段と、
前記プレイリスト検索手段が検索したプレイリストと、前記視聴権利情報記憶手段に記憶された前記視聴権利情報と、前記著作権情報記憶手段に記憶された前記著作権情報とに基づき、利用者が視聴する部分の開始位置および終了位置を示す複数の視聴区分を記述した視聴可能プレイリストを作成するプレイリスト作成手段とを備え、
前記著作権情報は、接続情報と命令情報とを含み、
前記接続情報は、２つの視聴区分を連続して再生するための第１規則と、２つの視聴区分を予め定められた前後関係で再生するための第２規則とのうち少なくとも一方を含み、
前記命令情報は、２つの視聴区分のうち一方の視聴区分を再生する場合に他方の視聴区分を再生するための第３規則と、一方の視聴区分を再生する場合に他方の視聴区分の再生を禁止するための第４規則とのうち少なくとも一方を含み、
前記プレイリスト作成手段は、前記視聴権利情報に従って、前記接続情報と前記命令情報とのうち少なくとも一方を選択し、
その選択結果に含まれる規則に従って、前記視聴可能プレイリストを作成することを特徴とするプレイリスト作成装置。
【請求項３】
コンテンツのうち利用者が視聴する部分の開始位置および終了位置を示す複数の視聴区分を記述したプレイリストを取得するプレイリスト取得手段と、
利用者のコンテンツの視聴内容に関する権利を記述した視聴権利情報を記憶する視聴権利情報記憶手段と、
ネットワークに接続され、コンテンツの著作権情報を管理する著作権情報管理装置から前記著作権情報を受信する著作権情報受信手段と、
前記著作権情報受信手段が受信した前記著作権情報を記憶する著作権情報記憶手段と、
前記プレイリスト取得手段が取得したプレイリストと、前記視聴権利情報記憶手段に記憶された前記視聴権利情報と、前記著作権情報記憶手段に記憶された前記著作権情報とに基づき、利用者が視聴する部分の開始位置および終了位置を示す複数の視聴区分を記述した視聴可能プレイリストを作成するプレイリスト作成手段とを備え、
前記著作権情報は、接続情報と命令情報とを含み、
前記接続情報は、２つの視聴区分を連続して再生するための第１規則と、２つの視聴区分を予め定められた前後関係で再生するための第２規則とのうち少なくとも一方を含み、
前記命令情報は、２つの視聴区分のうち一方の視聴区分を再生する場合に他方の視聴区分を再生するための第３規則と、一方の視聴区分を再生する場合に他方の視聴区分の再生を禁止するための第４規則とのうち少なくとも一方を含み、
前記プレイリスト作成手段は、前記視聴権利情報に従って、前記接続情報と前記命令情報とのうち少なくとも一方を選択し、
その選択結果に含まれる規則に従って、前記視聴可能プレイリストを作成することを特徴とするプレイリスト作成装置。
【請求項４】
前記著作権情報は、前記第１規則乃至前記第４規則のうち少なくとも１つが適用される視聴区分の開始位置および終了位置を示す視聴制約区分と、前記視聴制約区分ごとに視聴を制約するための規則を表す権利適用情報とを対応づけた分割方法情報と、コンテンツを一意に識別するコンテンツ識別情報とを含み、
前記著作権情報受信手段は、前記プレイリスト識別情報で識別されるプレイリストに含まれる前記コンテンツ識別情報に対応するコンテンツの前記著作権情報を受信し、
前記プレイリスト作成手段は、
前記視聴権利情報に従って、前記権利適用情報に対応づけられた前記視聴制約区分を、前記分割方法情報から取得する視聴制約区分取得手段と、
前記視聴制約区分取得手段が取得した前記視聴制約区分と、前記コンテンツ識別情報とを用いて、前記視聴可能プレイリストを生成する視聴可能プレイリスト生成手段とを備えたことを特徴とする請求項２または３に記載のプレイリスト作成装置。
【請求項５】
前記著作権情報は、少なくとも１つの前記分割方法情報と、前記分割方法情報を一意に識別するための分割方法識別情報と、コンテンツを一意に識別するコンテンツ識別情報とを含み、
前記視聴権利情報は、前記分割方法識別情報をさらに含み、
前記著作権情報受信手段は、前記端末情報受信手段が受信した前記プレイリスト識別情報で識別されるプレイリストに含まれる前記コンテンツ識別情報と、前記端末情報受信手段が受信した前記視聴権利情報に含まれる前記分割方法識別情報とに対応するコンテンツの前記著作権情報を受信することを特徴とする請求項４に記載のプレイリスト作成装置。
【請求項６】
前記視聴権利情報は、前記視聴可能プレイリストに記載する開始位置および終了位置の情報として、前記視聴区分と前記視聴制約区分とのどちらを使用するかを指定する区分抽出情報をさらに含み、
前記視聴可能プレイリスト生成手段は、前記視聴権利情報に含まれる前記区分抽出情報に従って、前記視聴区分または前記視聴制約区分と、前記コンテンツ識別情報とを対応づけて前記視聴可能プレイリストを生成することを特徴とする請求項４または請求項５に記載のプレイリスト作成装置。
【請求項７】
コンテンツのうち視聴を制約する部分の開始位置および終了位置を示す少なくとも１つの視聴制約区分と前記視聴制約区分ごとに視聴の制約の条件を表す権利適用情報とを対応づけた分割方法情報と、コンテンツを一意に識別するコンテンツ識別情報とを対応づけた著作権情報を記憶する著作権情報記憶手段と、
ネットワークに接続され、利用者が視聴する部分の開始位置および終了位置を示す複数の視聴区分を記述した視聴可能プレイリストを作成するプレイリスト作成装置から、前記コンテンツ識別情報を受信するコンテンツ識別情報受信手段と、
前記コンテンツ識別情報受信手段が受信した前記コンテンツ識別情報に対応する前記著作権情報を、前記著作権情報記憶手段から検索する著作権情報検索手段と、
前記著作権情報検索手段が検索した前記著作権情報を、前記プレイリスト作成装置に送信する著作権情報送信手段とを備え、
前記著作権情報は、接続情報と命令情報とを含み、
前記接続情報は、２つの視聴区分を連続して再生するための第１規則と、２つの視聴区分を予め定められた前後関係で再生するための第２規則とのうち少なくとも一方を含み、
前記命令情報は、２つの視聴区分のうち一方の視聴区分を再生する場合に他方の視聴区分を再生するための第３規則と、一方の視聴区分を再生する場合に他方の視聴区分の再生を禁止するための第４規則とのうち少なくとも一方を含むことを特徴とする著作権情報管理装置。
【請求項８】
前記ネットワークに接続され、前記視聴可能プレイリストと利用者のコンテンツの視聴内容に関する権利を記述した視聴権利情報とを前記視聴可能プレイリストに基づく視聴を行った視聴端末装置から受信する視聴確認情報受信手段と、
視聴端末装置から受信した前記視聴可能プレイリストと前記視聴権利情報とを記憶する視聴情報記憶手段と、
前記視聴情報記憶手段に記憶された前記視聴可能プレイリストが前記視聴権利情報に基づいて作成されていることを検査するプレイリスト検査手段とを備えたことを特徴とする請求項７に記載の著作権情報管理装置。
【請求項９】
前記プレイリスト検査手段は、前記視聴情報記憶手段から検査する前記視聴可能プレイリストと前記視聴権利情報との組みを決定し、前記視聴可能プレイリストに記載された前記コンテンツ識別情報に該当する著作権情報を取得する検査プレイリスト決定手段と、
前記検査プレイリスト決定手段で取得された前記著作権情報に基づいて前記視聴可能プレイリストが正しいか否かを確認するプレイリスト確認手段とを備えたことを特徴とする請求項８に記載の著作権情報管理装置。
【請求項１０】
前記視聴可能プレイリストに基づく視聴を行った視聴端末装置での前記視聴可能プレイリストの検査の結果、前記視聴可能プレイリストが正当に作成されていないと判断されたとき、前記ネットワークを介し、前記視聴端末装置から送られる前記視聴可能プレイリストとその利用者の視聴権利情報とを対応付けて記憶する不正プレイリスト記憶手段を、更に備えたことを特徴とする請求項７に記載の著作権情報管理装置。
【請求項１１】
利用者のコンテンツの視聴内容に関する権利を記述した視聴権利情報を記憶する端末視聴権利情報記憶手段と、
ネットワークに接続され、コンテンツのうち利用者が視聴する部分の開始位置および終了位置を示す視聴区分を記述したプレイリストを一意に識別するためのプレイリスト識別情報と、前記視聴権利情報とを、プレイリスト作成装置に対して送信する端末情報送信手段と、
前記プレイリスト作成装置が作成した前記視聴可能プレイリストを受信するプレイリスト受信手段と、
前記プレイリスト受信手段が受信した前記視聴可能プレイリストに基づいて前記視聴可能プレイリストに記述されたコンテンツを再生する再生手段とを備え、
前記視聴可能プレイリストは、請求項１乃至請求項６のいずれかひとつのプレイリスト作成装置によって作成されたことを特徴とする視聴端末装置。
【請求項１２】
前記コンテンツの著作権情報を管理するとともに、視聴可能プレイリストの検査を行う著作権情報管理装置へ、前記視聴可能プレイリストと前記視聴権利情報とを送信する検査情報送信手段を備えたことを特徴とする請求項１１記載の視聴端末装置。
【請求項１３】
前記視聴可能プレイリストに基づいて再生されるコンテンツの著作権情報をネットワークを介して著作権情報を管理する著作権情報管理装置から取得する手段と、
前記視聴可能プレイリストを、取得した前記著作権情報と前記視聴権利情報とに基づいて検査するとともに、この検査結果が正しくない場合に少なくとも前記視聴可能プレイリストを著作権情報管理装置へ送信する検査手段を備えたことを特徴とする請求項１１記載の視聴端末装置。
【請求項１４】
利用者のコンテンツの視聴内容に関する権利を記述した視聴権利情報を記憶する端末視聴権利情報記憶手段と、
ネットワークに接続され、コンテンツのうち利用者が視聴する部分の開始位置および終了位置を示す視聴区分を記述したプレイリストを一意に識別するためのプレイリスト識別情報を、他の端末装置に対して送信する端末情報送信手段と、
前記他の端末装置から前記プレイリスト識別情報に対応する視聴可能プレイリストを受信するプレイリスト受信手段と、
前記プレイリスト受信手段が受信した前記視聴可能プレイリストに基づいて前記視聴可能プレイリストに記述されたコンテンツを再生する再生手段と、
前記コンテンツの著作権情報を管理するものであって、視聴可能プレイリストの検査を行う著作権情報管理装置へ、前記視聴可能プレイリストと前記視聴権利情報とを送信する検査情報送信手段とを備え、
前記視聴可能プレイリストは、請求項１乃至請求項６のいずれかひとつのプレイリスト作成装置によって作成されたことを特徴とする視聴端末装置。
【請求項１５】
利用者のコンテンツの視聴内容に関する権利を記述した視聴権利情報を記憶する端末視聴権利情報記憶手段と、
ネットワークに接続され、コンテンツのうち利用者が視聴する部分の開始位置および終了位置を示す視聴区分を記述したプレイリストを一意に識別するためのプレイリスト識別情報を、他の端末装置に対して送信する端末情報送信手段と、
前記他の端末装置から前記プレイリスト識別情報に対応する視聴可能プレイリストを受信するプレイリスト受信手段と、
前記プレイリスト受信手段が受信した前記視聴可能プレイリストに基づいて前記視聴可能プレイリストに記述されたコンテンツを再生する再生手段と、
前記視聴可能プレイリストに基づいて再生されるコンテンツの著作権情報をネットワークを介して著作権情報を管理する著作権情報管理装置から取得する手段と、
前記視聴可能プレイリストを、取得した前記著作権情報と前記視聴権利情報とに基づいて検査するとともに、この検査結果が正しくない場合に少なくとも前記視聴可能プレイリストを著作権情報管理装置へ送信する検査手段とを備え、
前記視聴可能プレイリストは、請求項１乃至請求項６のいずれかひとつのプレイリスト作成装置によって作成されたことを特徴とする視聴端末装置。
【請求項１６】
前記端末情報送信手段は、他の利用者が作成した少なくとも１つの前記プレイリストを識別する前記プレイリスト識別情報と、前記視聴権利情報とを送信し、
前記プレイリスト受信手段が受信した少なくとも１つの前記視聴可能プレイリストを表示する表示手段をさらに備えたことを特徴とする請求項１１または請求項１４に記載の視聴端末装置。
【請求項１７】
コンテンツのうち利用者が視聴する部分の開始位置および終了位置を示す複数の視聴区分を記述したプレイリストを一意に識別するためのプレイリスト識別情報と、利用者のコンテンツの視聴内容に関する権利を記述した視聴権利情報とを、利用者がコンテンツを視聴する視聴端末装置から受信する端末情報受信ステップと、
コンテンツの著作権情報を管理する著作権情報管理装置から前記著作権情報を受信する著作権情報受信ステップと、
前記端末情報受信ステップで受信した前記視聴権利情報を記憶手段に記憶する視聴権利情報記憶ステップと、
前記著作権情報受信ステップで受信した前記著作権情報を記憶手段に記憶する著作権情報記憶ステップと、
前記端末情報受信ステップで受信した前記プレイリスト識別情報に対応する前記プレイリストを、前記プレイリストと前記プレイリスト識別情報とを対応づけて記憶する記憶手段から検索するプレイリスト検索ステップと、
前記プレイリスト検索ステップで検索したプレイリストと、記憶手段に記憶された前記視聴権利情報と、記憶手段に記憶された前記著作権情報とに基づき、利用者が視聴する部分の開始位置および終了位置を示す複数の視聴区分を記述した視聴可能プレイリストを作成するプレイリスト作成ステップとを備え、
前記著作権情報は、接続情報と命令情報とを含み、
前記接続情報は、２つの視聴区分を連続して再生するための第１規則と、２つの視聴区分を予め定められた前後関係で再生するための第２規則とのうち少なくとも一方を含み、
前記命令情報は、２つの視聴区分のうち一方の視聴区分を再生する場合に他方の視聴区分を再生するための第３規則と、一方の視聴区分を再生する場合に他方の視聴区分の再生を禁止するための第４規則とのうち少なくとも一方を含み、
前記プレイリスト作成ステップでは、前記視聴権利情報に従って、前記接続情報と前記命令情報とのうち少なくとも一方を選択し、
その選択結果に含まれる規則に従って、前記視聴可能プレイリストを作成することを特徴とするプレイリスト作成方法。
【請求項１８】
コンテンツのうち利用者が視聴する部分の開始位置および終了位置を示す視聴区分を記述したプレイリストを取得する第１取得手順と、
ネットワークに接続され、コンテンツの著作権情報を管理する著作権情報管理装置から前記プレイリストに対応するコンテンツの著作権情報を取得する第２取得手順と、
利用者のコンテンツの視聴内容に関する権利を記述した視聴権利情報を取得する第３取得手順と、
前記第１取得手順で取得したプレイリストから、前記第２取得手順で取得した前記著作権情報と前記第３取得手順で取得した前記視聴権利情報とに基づいて、利用者が視聴する部分の開始位置および終了位置を示す複数の視聴区分を記述した視聴可能プレイリストを作成するプレイリスト作成手順とをコンピュータに実行させるためのプログラムであって、
前記著作権情報は、接続情報と命令情報とを含み、
前記接続情報は、２つの視聴区分を連続して再生するための第１規則と、２つの視聴区分を予め定められた前後関係で再生するための第２規則とのうち少なくとも一方を含み、
前記命令情報は、２つの視聴区分のうち一方の視聴区分を再生する場合に他方の視聴区分を再生するための第３規則と、一方の視聴区分を再生する場合に他方の視聴区分の再生を禁止するための第４規則とのうち少なくとも一方を含み、
前記プレイリスト作成手順では、前記視聴権利情報に従って、前記接続情報と前記命令情報とのうち少なくとも一方が選択され、その選択結果に含まれる規則に従って、前記視聴可能プレイリストが作成されることを特徴とするプレイリスト作成プログラム。
【請求項１９】
コンテンツのうち利用者が視聴する部分の開始位置および終了位置を示す視聴区分を記述したプレイリストを一意に識別するためのプレイリスト識別情報と、利用者のコンテンツの視聴内容に関する権利を記述した視聴権利情報とを、利用者がコンテンツを視聴する視聴端末装置から受信する端末情報受信手順と、
コンテンツの著作権情報を管理する著作権情報管理装置から前記著作権情報を受信する著作権情報受信手順と、
前記端末情報受信手順で受信した前記視聴権利情報を記憶手段に記憶する視聴権利情報記憶手順と、
前記著作権情報受信手順で受信した前記著作権情報を記憶手段に記憶する著作権情報記憶手順と、
前記端末情報受信手順で受信した前記プレイリスト識別情報に対応する前記プレイリストを、前記プレイリストと前記プレイリスト識別情報とを対応づけて記憶する記憶手段から検索するプレイリスト検索手順と、
前記プレイリスト検索手順で検索したプレイリストと、記憶手段に記憶された前記視聴権利情報と、記憶手段に記憶された前記著作権情報とに基づき、利用者が視聴する部分の開始位置および終了位置を示す複数の視聴区分を記述した視聴可能プレイリストを作成するプレイリスト作成手順とをコンピュータに実行させるためのプログラムであって、
前記著作権情報は、接続情報と命令情報とを含み、
前記接続情報は、２つの視聴区分を連続して再生するための第１規則と、２つの視聴区分を予め定められた前後関係で再生するための第２規則とのうち少なくとも一方を含み、
前記命令情報は、２つの視聴区分のうち一方の視聴区分を再生する場合に他方の視聴区分を再生するための第３規則と、一方の視聴区分を再生する場合に他方の視聴区分の再生を禁止するための第４規則とのうち少なくとも一方を含み、
前記プレイリスト作成手順では、前記視聴権利情報に従って、前記接続情報と前記命令情報とのうち少なくとも一方が選択され、その選択結果に含まれる規則に従って、前記視聴可能プレイリストが作成されることを特徴とするプレイリスト作成プログラム。
【請求項２０】
コンテンツのうち利用者が視聴する部分の開始位置および終了位置を示す視聴区分を記述したプレイリストを取得するプレイリスト取得手順と、
利用者のコンテンツの視聴内容に関する権利を記述した視聴権利情報を記憶する視聴権利情報記憶手順と、
ネットワークに接続され、コンテンツの著作権情報を管理する著作権情報管理装置から前記著作権情報を受信する著作権情報受信手順と、
前記著作権情報受信手順で受信した前記著作権情報を記憶する著作権情報記憶手順と、
前記プレイリスト取得手順で取得したプレイリストと、前記視聴権利情報記憶手順にて記憶された前記視聴権利情報と、前記著作権情報記憶手順にて記憶された前記著作権情報とに基づき、利用者が視聴を制約する部分の開始位置および終了位置を示す複数の視聴区分を記述した視聴可能プレイリストを作成するプレイリスト作成手順とをコンピュータに実行させるためのプログラムであって、
前記著作権情報は、接続情報と命令情報とを含み、
前記接続情報は、２つの視聴区分を連続して再生するための第１規則と、２つの視聴区分を予め定められた前後関係で再生するための第２規則とのうち少なくとも一方を含み、
前記命令情報は、２つの視聴区分のうち一方の視聴区分を再生する場合に他方の視聴区分を再生するための第３規則と、一方の視聴区分を再生する場合に他方の視聴区分の再生を禁止するための第４規則とのうち少なくとも一方を含み、
前記プレイリスト作成手順では、前記視聴権利情報に従って、前記接続情報と前記命令情報とのうち少なくとも一方が選択され、その選択結果に含まれる規則に従って、前記視聴可能プレイリストが作成されることを特徴とするプレイリスト作成プログラム。
【発明の詳細な説明】
【技術分野】
【０００１】
この発明は、コンテンツの再生情報が記述されたプレイリストを作成し、プレイリストに従いコンテンツを視聴するプレイリスト作成装置、プレイリスト作成方法、プレイリスト作成プログラム、著作権管理装置、視聴端末装置およびコンテンツ管理システムに関するものである。
【背景技術】
【０００２】
近年、動画像などのコンテンツを視聴する専用の視聴端末や、インターネットなどのネットワークを経由してパーソナルコンピュータなどによりコンテンツを取得し、取得したコンテンツを視聴する技術が広く普及している。このようなコンテンツの著作権を保持しているコンテンツホルダは、一般に不正なコンテンツの複製や編集などの著作権を侵害する行為を禁止することを望んでおり、これを実現するための技術も開発されている。
【０００３】
例えば、ＡＶ機器などの視聴端末では、コンテンツの部分再生を行う方法を記述したプレイリストを利用者が作成することができるが、作成したプレイリストはそのＡＶ機器内での使用に制限されている。また、著作権者が予め作成したコンテンツを管理サーバに登録し、利用者が指定した検索条件に適合するコンテンツを選択して並べたプレイリストを管理サーバが作成することにより、利用者のコンテンツの編集を制限しつつ著作権者が意図したプレイリストの利用だけを許可する方式が提案されている（例えば、特許文献１）。
【０００４】
一方、インターネットではコンテンツに対する意見や感想を掲示板やチャットを通して交換するコミュニティが存在し、コンテンツを中心としたコミュニケーションが行われている。そのため、利用者が作成したプレイリストの使用を特定の装置内に制限するのではなく、コミュニティに属する他の利用者等と共有することができる技術の実現が期待されている。
【特許文献１】特開２００３−５０５８８号公報
【発明の開示】
【発明が解決しようとする課題】
【０００５】
しかしながら、特許文献１に示された方法は、コンテンツホルダが予め定めた著作権をもとに管理サーバがプレイリストを作成するため、例えば、ＣＭをカットしたコンテンツの視聴を可能としたプレイリストを作成することができず、視聴端末利用者にとって利便性の高いプレイリストを作成することができないという問題があった。
【０００６】
また、コンテンツホルダは著作権を無視した行為や同一性保持権を侵害する行為を禁止する目的で、プレイリストの流布を許可していない場合が多く、他の利用者との間でプレイリストを共有し、他の利用者が作成したプレイリストによりコンテンツを視聴することができないという問題があった。
【０００７】
本発明は、上記に鑑みてなされたものであって、著作権者およびコンテンツを視聴する利用者の両者の意図を反映させたプレイリストを作成するプレイリスト作成装置、プレイリスト作成方法、プレイリスト作成プログラム、著作権管理装置、視聴端末装置および、コンテンツ管理システムを提供することを目的とする。
【課題を解決するための手段】
【０００８】
本発明のプレイリスト作成装置は、コンテンツのうち利用者が視聴する部分の開始位置および終了位置を示す視聴区分を含む視聴方法の情報を記述したプレイリストを取得する第１取得手段と、  ネットワークに接続され、コンテンツの著作権情報を管理する著作権情報管理装置から前記プレイリストに対応するコンテンツの著作権情報を取得する第２取得手段と、利用者のコンテンツの視聴内容に関する権利を記述した視聴権利情報を取得する第３取得手段と、前記第１取得手段で取得したプレイリストから、前記第２取得手段で取得した前記著作権情報と前記第３取得手段で取得した前記視聴権利情報とに基づいて、利用者が視聴を制約された部分の視聴方法の情報を含む前記プレイリストである視聴可能プレイリストを作成するプレイリスト作成手段とを備えた。
【０００９】
また、本発明は、上記装置を実行することができるプレイリスト作成プログラムである。
【００１０】
また、本発明のプレイリスト作成装置は、コンテンツのうち利用者が視聴する部分の開始位置および終了位置を示す視聴区分を含む視聴方法の情報を記述したプレイリストと、前記プレイリストを一意に識別するためのプレイリスト識別情報とを対応づけて記憶するプレイリスト記憶手段と、前記プレイリスト識別情報と、利用者のコンテンツの視聴内容に関する権利を記述した視聴権利情報とを、ネットワークに接続され、利用者がコンテンツを視聴する視聴端末装置から受信する端末情報受信手段と、ネットワークに接続され、コンテンツの著作権情報を管理する著作権情報管理装置から前記著作権情報を受信する著作権情報受信手段と、前記端末情報受信手段が受信した前記視聴権利情報を記憶する視聴権利情報記憶手段と、前記著作権情報受信手段が受信した前記著作権情報を記憶する著作権情報記憶手段と、前記端末情報受信手段が受信した前記プレイリスト識別情報に対応する前記プレイリストを前記プレイリスト記憶手段から検索するプレイリスト検索手段と、前記プレイリスト検索手段が検索したプレイリストと、前記視聴権利情報記憶手段に記憶された前記視聴権利情報と、前記著作権情報記憶手段に記憶された前記著作権情報とに基づき、利用者が視聴を制約された部分の視聴方法の情報を含む前記プレイリストである視聴可能プレイリストを作成するプレイリスト作成手段とを備えた。
【００１１】
また、本発明は、上記装置を実行することができるプレイリスト作成方法およびプレイリスト作成プログラムである。
【００１２】
また、本発明のプレイリスト作成装置は、コンテンツのうち利用者が視聴する部分の開始位置および終了位置を示す視聴区分を含む視聴方法の情報を記述したプレイリストを取得するプレイリスト取得手段と、利用者のコンテンツの視聴内容に関する権利を記述した視聴権利情報を記憶する視聴権利情報記憶手段と、ネットワークに接続され、コンテンツの著作権情報を管理する著作権情報管理装置から前記著作権情報を受信する著作権情報受信手段と、前記著作権情報受信手段が受信した前記著作権情報を記憶する著作権情報記憶手段と、前記プレイリスト取得手段が取得したプレイリストと、前記視聴権利情報記憶手段に記憶された前記視聴権利情報と、前記著作権情報記憶手段に記憶された前記著作権情報とに基づき、利用者が視聴を制約された部分の視聴方法の情報を含む前記プレイリストである視聴可能プレイリストを作成するプレイリスト作成手段とを備えた。
【００１３】
また、本発明は、上記装置を実行することができるプレイリスト作成プログラムである。
【００１４】
また、本発明の著作権情報管理装置は、コンテンツのうち視聴を制約する部分の開始位置および終了位置を示す少なくとも１つの視聴制約区分と前記視聴制約区分ごとに視聴の制約の条件を表す権利適用情報とを対応づけた分割方法情報と、コンテンツを一意に識別するコンテンツ識別情報とを対応づけた著作権情報を記憶する著作権情報記憶手段と、ネットワークに接続され、利用者が視聴を制約された部分の開始位置および終了位置を含む視聴方法の情報を記述した視聴可能プレイリストを作成するプレイリスト作成装置から、前記コンテンツ識別情報を受信するコンテンツ識別情報受信手段と、前記コンテンツ識別情報受信手段が受信した前記コンテンツ識別情報に対応する前記著作権情報を、前記著作権情報記憶手段から検索する著作権情報検索手段と、前記著作権情報検索手段が検索した前記著作権情報を、前記プレイリスト作成装置に送信する著作権情報送信手段とを備えた。
【００１５】
また、本発明の視聴端末装置は、利用者のコンテンツの視聴内容に関する権利を記述した視聴権利情報を記憶する端末視聴権利情報記憶手段と、ネットワークに接続され、コンテンツのうち利用者が視聴する部分の開始位置および終了位置を示す視聴区分を含む視聴方法の情報を記述したプレイリストを一意に識別するためのプレイリスト識別情報と、前記視聴権利情報とを、利用者が視聴を制約された部分の視聴方法の情報を含む前記プレイリストである視聴可能プレイリストを作成するプレイリスト作成装置に対して送信する端末情報送信手段と、前記プレイリスト作成装置が作成した前記視聴可能プレイリストを受信するプレイリスト受信手段と、前記プレイリスト受信手段が受信した前記視聴可能プレイリストに基づいて前記視聴可能プレイリストに記述されたコンテンツを再生する再生手段とを備えた。
【００１６】
また、本発明の視聴端末装置は、利用者のコンテンツの視聴内容に関する権利を記述した視聴権利情報を記憶する端末視聴権利情報記憶手段と、ネットワークに接続され、コンテンツのうち利用者が視聴する部分の開始位置および終了位置を示す視聴区分を含む視聴方法の情報を記述したプレイリストを一意に識別するためのプレイリスト識別情報を、利用者が視聴を制約された部分の視聴方法の情報を含む前記プレイリストを備える他の端末装置に対して送信する端末情報送信手段と、前記他の端末装置から前記プレイリスト識別情報に対応するプレイリストを受信するプレイリスト受信手段と、前記プレイリスト受信手段が受信した前記視聴可能プレイリストに基づいて前記視聴可能プレイリストに記述されたコンテンツを再生する再生手段と、前記コンテンツの著作権情報を管理するものであって、視聴可能プレイリストの検査を行う著作権情報管理装置へ、前記視聴可能プレイリストと前記視聴権利情報とを送信する検査情報送信手段とを備えた。
【００１７】
また、本発明の視聴端末装置は、利用者のコンテンツの視聴内容に関する権利を記述した視聴権利情報を記憶する端末視聴権利情報記憶手段と、ネットワークに接続され、コンテンツのうち利用者が視聴する部分の開始位置および終了位置を示す視聴区分を含む視聴方法の情報を記述したプレイリストを一意に識別するためのプレイリスト識別情報を、利用者が視聴を制約された部分の視聴方法の情報を含む前記プレイリストを備える他の端末装置に対して送信する端末情報送信手段と、前記他の端末装置から前記プレイリスト識別情報に対応するプレイリストを受信するプレイリスト受信手段と、前記プレイリスト受信手段が受信した前記視聴可能プレイリストに基づいて前記視聴可能プレイリストに記述されたコンテンツを再生する再生手段と、前記視聴可能プレイリストに基づいて再生されるコンテンツの著作権情報をネットワークを介して著作権情報を管理する著作権情報管理装置から取得する手段と、前記視聴可能プレイリストを、取得した前記著作権情報と前記視聴権利情報とに基づいて検査するとともに、この検査結果が正しくない場合に少なくとも前記視聴可能プレイリストを著作権情報管理装置へ送信する検査手段とを備えた。
【発明の効果】
【００１８】
本発明によれば、著作権者が予め設定した視聴の条件と、各利用者に付与された視聴の条件および利用者が作成したプレイリストとから、両者の視聴の条件を満たすプレイリストを作成することができる。このため、著作権の保護を実現しつつ、コンテンツを視聴する利用者に対して利便性の高いプレイリストを作成し、他の利用者とのプレイリストの共有を実現することができるという効果を奏する。
【００１９】
また、本発明によれば、著作権者が予め設定した視聴の条件を含む著作権情報を、プレイリストを作成するプレイリスト作成装置に送信する著作権情報管理装置を提供することができる。このため、プレイリスト作成装置において、著作権の保護を実現しつつ、コンテンツを視聴する利用者に対して利便性の高いプレイリストを作成することができるという効果を奏する。
【００２０】
また、本発明によれば、利用者のコンテンツの視聴内容に関する権利を記述した視聴権利情報を、プレイリストを作成するプレイリスト作成装置に送信する視聴端末装置を提供することができる。このため、プレイリスト作成装置において、著作権の保護を実現しつつ、コンテンツを視聴する利用者に対して利便性の高いプレイリストを作成することができるという効果を奏する。
【発明を実施するための最良の形態】
【００２１】
以下に添付図面を参照して、この発明にかかるプレイリスト作成装置、プレイリスト作成方法、プレイリスト作成プログラム、著作権管理装置、視聴端末装置およびコンテンツ管理システムに係る４つの最良な実施の形態を順に詳細に説明する。
【００２２】
まず、第1の実施の形態について説明する。
【００２３】
本実施の形態にかかるプレイリスト作成装置は、予め著作権管理装置に登録された著作権情報と、視聴端末装置において利用者が作成して送信したプレイリストを一意に識別するためのプレイリスト識別情報と、視聴端末装置から送信した利用者ごとの視聴権利情報とから、利用者が作成したプレイリストを著作権管理装置に登録された著作権情報を満たすように編集した視聴可能プレイリストを作成するものである。
【００２４】
ここで、プレイリストとは、コンテンツのうち利用者が視聴を希望する部分の開始位置および終了位置を示す視聴区分を含む視聴方法の情報をいう。また、視聴権利情報とは、利用者に対するコンテンツの視聴内容に関する権利を記述した情報をいう。また、視聴可能プレイリストとは、コンテンツのうち利用者が視聴を制約された部分の視聴方法の情報を含むプレイリスト、すなわち、視聴内容に関する権利を反映して制約された視聴方法の情報を記述したプレイリストをいう。
【００２５】
図１は、本実施の形態にかかるプレイリスト作成サーバ１００を含むコンテンツ管理システムの全体の構成を示すブロック図である。同図に示すように、コンテンツ管理システムは、プレイリスト作成サーバ１００と映像視聴端末２００とがネットワーク１０を介して接続され、プレイリスト作成サーバ１００と著作権管理サーバ３００とがネットワーク２０を介して接続されている。なお、ネットワーク１０及びネットワーク２０はインターネットやＶＰＮなどのあらゆるネットワーク形態により構成することができる。
【００２６】
プレイリスト作成サーバ１００は、映像視聴端末２００からプレイリスト識別情報と視聴権利情報とを受信し、受信したプレイリスト識別情報に対応するコンテンツ識別情報と視聴権利情報とを著作権管理サーバ３００に送信し、著作権管理サーバ３００からコンテンツの編集の際に適用する規則が記述されたコンテンツの著作権情報を受信し、受信した著作権情報に記述された規則のうち、視聴権利情報に適合する規則を使用してプレイリストを編集して視聴可能プレイリストを作成し、映像視聴端末２００に送信する装置である。
【００２７】
映像視聴端末２００は、映像・音声等のコンテンツを視聴する装置であり、視聴区分とコンテンツ識別情報とを含むプレイリストを作成する機能を有する。また、映像視聴端末２００は、プレイリスト識別情報と視聴権利情報とをプレイリスト作成サーバ１００に送信し、プレイリスト作成サーバ１００から視聴可能プレイリストを取得し、取得した視聴可能プレイリストに従ってコンテンツを視聴することができる。なお、映像視聴端末２００は、通信機能付きのオーディオシステム、ＡＶ機器、パーソナルコンピュータ、携帯端末またはＰＤＡ等の移動端末などにより構成することができる。
【００２８】
著作権管理サーバ３００は、プレイリスト作成サーバ１００から受信したコンテンツ識別情報と視聴権利情報とに対応したコンテンツの著作権情報をプレイリスト作成サーバ１００に送信する装置である。
【００２９】
まず、本実施の形態にかかる映像視聴端末２００の構成について説明する。図２は、本実施の形態にかかる映像視聴端末２００の構成を示すブロック図である。同図に示すように、映像視聴端末２００は、視聴可能プレイリスト要求部２０１と、端末送受信部２０２と、再生部２０３と、端末プレイリスト作成部２０４と、コンテンツ検索部２０５と、視聴可能プレイリスト検索部２０６と、端末プレイリスト検索部２０７と、視聴権利情報取得部２０８と、端末視聴権利情報記憶部２１１と、コンテンツ記憶部２１２と、端末プレイリスト記憶部２１３と、視聴可能プレイリスト記憶部２１４とを備えている。
【００３０】
視聴可能プレイリスト要求部２０１は、プレイリスト作成サーバ１００で管理されているプレイリストを基にした視聴可能プレイリストの作成要求を行うものである。要求を行う際には、端末視聴権利情報記憶部２１１に記憶されている視聴権利情報と、プレイリスト作成サーバ１００で管理されているプレイリストのプレイリスト識別情報とを、端末送受信部２０２を介してプレイリスト作成サーバ１００に送信する。
【００３１】
端末送受信部２０２は、ネットワーク１０を介してプレイリスト作成サーバ１００に、プレイリスト識別情報、視聴権利情報の送信を行い、プレイリスト作成サーバ１００から送信された視聴可能プレイリストの受信を行うものである。また、端末送受信部２０２は、新規に作成したプレイリストをプレイリスト作成サーバ１００に登録するために送信するものである。
【００３２】
再生部２０３は、コンテンツの再生を行うものであり、視聴可能プレイリストを作成した場合は、当該視聴可能プレイリストの内容に従いコンテンツを再生するものである。
【００３３】
端末プレイリスト作成部２０４は、利用者の指定に従いプレイリストの作成を行うものである。プレイリストは、利用者が選択したコンテンツを一意に識別するコンテンツ識別情報と、利用者が指定した部分視聴を行う区分の開始位置を表す開始位置情報および終了位置を表す終了位置情報とを対応づけて格納している。プレイリストのデータ構造の詳細については後述する。
【００３４】
コンテンツ検索部２０５は、利用者がプレイリストを作成するコンテンツを、後述するコンテンツ記憶部２１２から検索するものである。
【００３５】
視聴可能プレイリスト検索部２０６は、視聴可能プレイリスト記憶部２１４から視聴可能プレイリストを検索するものである。なお、プレイリスト作成サーバ１００で作成されて映像視聴端末２００に送信された視聴可能プレイリストは、視聴可能プレイリスト記憶部２１４に記憶される。従って、再度、プレイリスト作成サーバ１００に視聴可能プレイリストの作成要求を送信することなく、視聴可能プレイリスト検索部２０６により視聴可能プレイリスト記憶部２１４から検索した視聴可能プレイリストを利用することができる。
【００３６】
端末プレイリスト検索部２０７は、プレイリスト作成サーバ１００に記憶されているプレイリスト、または、後述する端末プレイリスト記憶部２１３に記憶されているプレイリストを検索するものである。検索したプレイリストは、端末プレイリスト作成部２０４がプレイリストを作成する際に参照することができる。
【００３７】
視聴権利情報取得部２０８は、フラッシュメモリまたはＣＤ−ＲＯＭ（Ｃｏｍｐａｃｔ  Ｄｉｓｋ  Ｒｅａｄ  Ｏｎｌｙ  Ｍｅｍｏｒｙ）等の記憶媒体に記憶されている視聴権利情報を取得し、端末視聴権利情報記憶部２１１に登録するものである。視聴権利情報が既に登録されている場合は、視聴権利情報取得部２０８は、登録されている視聴権利情報を取得した視聴権利情報により更新する。視聴権利情報取得部２０８は、視聴権利情報を、端末送受信部２０２を介してコンテンツホルダからネットワーク経由で取得するように構成してもよい。
【００３８】
端末視聴権利情報記憶部２１１は、視聴権利情報を記憶する記憶手段であり、ＨＤＤ（Ｈａｒｄ  Ｄｉｓｋ  Ｄｒｉｖｅ）、光ディスク、メモリカード、ＲＡＭ（Ｒａｎｄｏｍ  Ａｃｃｅｓｓ  Ｍｅｍｏｒｙ）などの一般的に利用されているあらゆる記憶手段により構成することができる。
【００３９】
図３は、端末視聴権利情報記憶部２１１のデータ構造の一例を示す説明図である。同図に示すように、端末視聴権利情報記憶部２１１は、分割方法識別情報および区分抽出情報を含むコンテンツ分割抽出情報と、著作権特定情報とを対応づけた視聴権利情報を格納している。
【００４０】
ここで、著作権特定情報とは、利用者ごとに付与されるコンテンツの視聴や編集の権利を特定するための情報である。著作権特定情報は、著作権管理サーバ３００に格納されている著作権情報に含まれる権利適用情報と照合して、著作権情報内のいずれの規則を適用するか判断するために使用される。著作権特定情報と権利適用情報との照合方法の詳細については後述する。
【００４１】
分割方法識別情報とは、著作権管理サーバ３００に格納されている著作権情報に含まれるコンテンツの分割方法を表す分割方法情報を一意に識別するための情報である。分割方法情報の詳細については後述する。分割方法識別情報は、著作権情報に含まれる複数のコンテンツの分割方法の中から、いずれの分割方法を適用するかを指定するために使用される。図３においては、分割方法識別情報は数値により指定する例が示されているが、著作権情報内の分割方法を一意に識別できるものであればどのような情報を用いてもよい。
【００４２】
分割方法識別情報を使用することにより、例えば、利用者が支払ったライセンス料に応じて適用する分割方法を切り替えることが可能となる。
【００４３】
区分抽出情報とは、視聴可能プレイリストに出力する開始位置情報および終了位置情報を抽出する方法を指定する情報である。図４は、区分抽出情報の指定方法の一例を示す説明図である。同図に示すように、区分抽出情報は、０または１を指定することができ、０を指定した場合は、利用者が作成したプレイリストで指定された視聴区分の開始位置情報および終了位置情報を、視聴可能プレイリストの開始位置情報および終了位置情報として抽出する。１を指定した場合は、著作権情報内に記述された開始位置情報および終了位置情報を、視聴可能プレイリストの開始位置情報および終了位置情報として抽出する。
【００４４】
区分抽出情報を使用することにより、例えば、高額なライセンス料を支払ったユーザに対しては利用者が作成したプレイリストの視聴区分をそのまま使用できるようにし、低額なライセンス料を支払ったユーザに対しては、著作権者が設定した開始位置情報および終了位置情報を使用させるように処理を切替えることが可能となる。
【００４５】
コンテンツ記憶部２１２は、視聴するコンテンツを記憶する記憶手段であり、ＨＤＤ、光ディスク、メモリカード、ＲＡＭなどの一般的に利用されているあらゆる記憶手段により構成することができる。図５は、コンテンツ記憶部２１２のデータ構造の一例を示す説明図である。同図に示すように、コンテンツ記憶部２１２は、コンテンツ識別情報と、コンテンツ内容とを対応づけて格納している。
【００４６】
コンテンツ識別情報は、コンテンツを一意に識別するための情報である。コンテンツ内容は、コンテンツ配信者によって放送波、ケーブル、記憶媒体等によって配信される動画や音楽などのコンテンツそのものを表す情報である。なお、これ以外に、コンテンツ名称などの情報を対応づけて格納するように構成してもよい。
【００４７】
端末プレイリスト記憶部２１３は、映像視聴端末２００で作成されたプレイリストを記憶する記憶手段であり、ＨＤＤ、光ディスク、メモリカード、ＲＡＭなどの一般的に利用されているあらゆる記憶手段により構成することができる。
【００４８】
図６は、端末プレイリスト記憶部２１３のデータ構造の一例を示す説明図である。同図に示すように、端末プレイリスト記憶部２１３は、プレイリストの作成元となるコンテンツを一意に識別するコンテンツ識別情報と、開始位置情報と、終了位置情報とを対応づけたプレイリストを格納している。
【００４９】
なお、開始位置情報と終了位置情報とを対応づけた情報が上述の視聴区分に相当する。また、同図においては、開始位置情報と終了位置情報とを時刻により表しているが、視聴を開始する位置および終了する位置を特定できるものであれば、あらゆる方法により表すことができる。
【００５０】
視聴可能プレイリスト記憶部２１４は、プレイリスト作成サーバ１００で作成された視聴可能プレイリストを記憶する記憶手段であり、ＨＤＤ、光ディスク、メモリカード、ＲＡＭなどの一般的に利用されているあらゆる記憶手段により構成することができる。視聴可能プレイリスト記憶部２１４のデータ構造は端末プレイリスト記憶部２１３と同様であるのでその説明を省略する。
【００５１】
次に、本実施の形態にかかる著作権管理サーバ３００の構成について説明する。図７は、本実施の形態にかかる著作権管理サーバ３００の構成を示すブロック図である。同図に示すように、著作権管理サーバ３００は、著作権管理サーバ送受信部３０１と、著作権情報検索部３０２と、著作権情報記憶部３１１とを備えている。
【００５２】
著作権管理サーバ送受信部３０１は、プレイリスト作成サーバ１００からコンテンツ識別情報と視聴権利情報とを受信し、受信したコンテンツ識別情報および視聴権利情報に対応したコンテンツの著作権情報をプレイリスト作成サーバ１００に送信するものである。
【００５３】
著作権情報検索部３０２は、著作権管理サーバ送受信部３０１により受信されたコンテンツ識別情報および視聴権利情報に対応したコンテンツの著作権情報を、著作権情報記憶部３１１から検索するものである。
【００５４】
著作権情報記憶部３１１は、コンテンツの著作権情報を記憶する記憶手段であり、ＨＤＤ、光ディスク、メモリカード、ＲＡＭなどの一般的に利用されているあらゆる記憶手段により構成することができる。図８は、著作権情報記憶部３１１のデータ構造の一例を示す説明図である。同図に示すように著作権情報記憶部３１１は、コンテンツ識別情報と、分割方法識別情報と、分割番号と、権利適用情報と、著作権規則情報と、区分情報とを対応づけて格納している。
【００５５】
区分情報は、開始位置情報および終了位置情報の組を２組含んでいる。区分情報は、一方の組で示される区分を基準とし、他方の組で示される区分が再生時刻順に指定されているかなどを確認するための規則である著作権規則情報（後述）を適用する際に参照される。
【００５６】
著作権規則情報は、コンテンツの編集規則を表した情報であり、接続情報と、命令情報と、適用基準とを含んでいる。
【００５７】
接続情報は、区分情報で示された２組の区分が連続して再生される規則（連接）、または、２組の区分が連続ではないが予め定められた前後関係に従い再生される規則（順接）を指定するための情報である。命令情報は、一方の組で示される区分を再生するときは他方の組で示される区分の再生を強制する規則（強制）、または、禁止する規則（禁止）を指定するための情報である。適用基準は、区分情報で示された２組の区分のうち、どちらの区分を基準として上述の接続情報および命令情報を適用するかを指定するための情報である。
【００５８】
図９は、著作権規則情報の指定方法の一例を示した説明図である。同図に示す例では、接続情報が０のときは連接、１のときは順接を指定することを示している。また、命令情報が０のときは強制、１のときは禁止を指定することを示している。また、適用基準が０のときは区分情報で示された２組の区分のうち左側に記述された組を基準とし、１のときは右側に記述された組を基準とすることを示している。
【００５９】
上記３つの情報（接続情報、命令情報、適用基準）の組み合わせにより、図９に示すような８つの規則を指定することができる。例えば、上記３つの情報がすべて０の場合は、区分情報の左側の開始位置情報および終了位置情報の組を視聴制約区分、右側の開始位置情報および終了位置情報の組を関連視聴区分とし、視聴制約区分の後ろに関連視聴区分が存在することを確認するとともに、存在しない場合は関連視聴区分を視聴制約区分の後ろに挿入する規則を表している。
【００６０】
ここで、視聴制約区分とは、区分情報に含まれる開始位置情報および終了位置情報の２つの組のうち、適用基準で指定された命令の実行対象となる組を表す。これは、著作権者が利用者に対して視聴を制約する部分として設定したコンテンツの部分の開始位置および終了位置を示す情報を意味する。
【００６１】
また、関連視聴区分とは、２つの組のうち、視聴制約区分以外の組であり、視聴制約区分と関連づけられた視聴に関する組を表す。これは、著作権者が利用者に対して、視聴制約区分と関連づけて視聴する部分、または、視聴制約区分と関連づけて視聴することを禁止する部分として設定したコンテンツの部分の開始位置および終了位置を示す情報を意味する。
【００６２】
図８に戻り、権利適用情報は、適用する著作権規則情報を判定するための情報である。権利適用情報は、上述の著作権特定情報と照合することにより、個々の利用者に対していずれの著作権規則情報で表される規則を適用するか判断するために使用される。同図に示す例では、３桁の数値で表されているが、権利適用情報の桁数はこれに限るものではない。
【００６３】
権利適用情報と著作権特定情報との照合は、以下のような方法で行う。すなわち、権利適用情報の各桁のそれぞれについて、著作権特定情報の各桁との論理積を算出し、算出した論理積の総和が１以上となれば、両者は適合すると判定し、当該権利適用情報に対応する著作権規則情報が適用されることとなる。
【００６４】
上記のように権利適用情報を規定することにより、例えば、利用者が支払ったライセンス料に応じて適用する著作権規則情報を切替えることが可能となる。すなわち、図８に示すような著作権情報、権利適用情報を定義しておき、例えばライセンス料が高額の利用者に対して著作権特定情報として「００１」を付与すると、権利適用情報の３桁目が「１」である分割番号が４および７に対応する区分情報のみ視聴が制約され、著作権の規則が適用される。また、例えばライセンス料が低額の利用者に対して著作権特定情報として「１００」を付与すると、権利適用情報の１桁目が「１」であるすべての分割番号に対応する区分情報の視聴が制約され、著作権の規則が適用される。
【００６５】
分割番号は、任意のコンテンツの分割方法において、分割した区分を一意に識別するための情報であり、同図においては、１からの連番により指定する例が示されている。
【００６６】
分割方法識別情報は、分割方法情報を一意に識別するための情報である。ここで、分割方法情報とは、コンテンツの分割方法を規定する情報であり、上述の区分情報と、著作権規則情報と、権利適用情報と、分割番号とを対応づけた情報を少なくとも１つ含む情報を意味する。同図においては、１からの連番により分割方法識別情報を指定する例が示されている。
【００６７】
次に、本実施の形態にかかるプレイリスト作成サーバ１００の構成について説明する。図１０は、本実施の形態にかかるプレイリスト作成サーバ１００の構成を示すブロック図である。同図に示すように、プレイリスト作成サーバ１００は、プレイリスト作成部１０１と、端末サーバ送受信部１０２と、サーバ間送受信部１０３と、著作権情報検索部１０４と、プレイリスト検索部１０５と、著作権情報記憶部１１１と、プレイリスト記憶部１１２とを備えている。
【００６８】
プレイリスト作成部１０１は、ネットワーク１０経由で映像視聴端末２００から受信したプレイリスト識別情報および視聴権利情報と、ネットワーク２０経由で著作権管理サーバ３００から受信した著作権情報とから視聴可能プレイリストを作成するものである。視聴可能プレイリストの作成方法の詳細は後述する。
【００６９】
図１１は、プレイリスト作成部１０１の構成の詳細を示すブロック図である。同図に示すように、プレイリスト作成部１０１は、視聴制約区分取得部１０１ａと、視聴可能プレイリスト生成部１０１ｂとを備えている。
【００７０】
視聴制約区分取得部１０１ａは、後述するサーバ間送受信部１０３により受信された著作権情報に含まれる分割方法情報から、視聴権利情報内の著作権特定情報に適合する権利適用情報に対応づけられた視聴制約区分を取得するものである。
【００７１】
視聴可能プレイリスト生成部１０１ｂは、利用者が作成したプレイリストで指定された視聴区分のうち、視聴制約区分取得部１０１ａにより取得された視聴制約区分に対応する視聴区分に対して、分割方法情報内に記述された著作権規則情報で示される規則を適用して実際に視聴を制約する部分の開始位置情報および終了位置情報を作成し、コンテンツ識別情報と対応づけて視聴可能プレイリストを生成するものである。
【００７２】
端末サーバ送受信部１０２は、映像視聴端末２００からプレイリスト識別情報と視聴権利情報とを受信するとともに、プレイリスト作成部１０１が作成した視聴可能プレイリストを映像視聴端末２００に送信するものである。また、端末サーバ送受信部１０２は、映像視聴端末２００から送信されたプレイリストの検索要求を受信し、受信した検索要求に対して後述するプレイリスト検索部１０５が検索したプレイリストを送信するものである。
【００７３】
サーバ間送受信部１０３は、著作権管理サーバ３００に対してコンテンツ識別情報と視聴権利情報とを送信し、コンテンツ識別情報および視聴権利情報に対応したコンテンツの著作権情報を著作権管理サーバ３００から受信するものである。
【００７４】
著作権情報検索部１０４は、映像視聴端末２００から視聴可能プレイリストの作成を要求されたコンテンツおよび映像視聴端末２００から受信した視聴権利情報に対応するコンテンツの著作権情報が、著作権情報記憶部１１１内に存在するか否かを検索するものである。
【００７５】
プレイリスト検索部１０５は、映像視聴端末２００から受信したプレイリスト識別情報と視聴権利情報とに対応した視聴可能プレイリストが、プレイリスト記憶部１１２内に存在するか否かを検索するものである。
【００７６】
著作権情報記憶部１１１は、著作権管理サーバ３００から受信した著作権情報を記憶する記憶手段であり、ＨＤＤ、光ディスク、メモリカード、ＲＡＭなどの一般的に利用されているあらゆる記憶手段により構成することができる。
【００７７】
図１２は、著作権情報記憶部１１１のデータ構造の一例を示す説明図である。同図に示すように、著作権情報記憶部１１１は、著作権管理サーバ３００から送信された著作権情報を記憶するテーブルと、利用者から送信された視聴権利情報を記憶するテーブルとを含んでいる。これらのテーブルは、著作権情報を一意に識別するための著作権情報管理識別情報によって対応づけられている。なお、著作権情報記憶部１１１はデータベースだけでなく、ファイルにより著作権情報を記憶するように構成してもよい。
【００７８】
著作権情報を記憶するテーブルでは、著作権情報管理識別情報と、コンテンツ識別情報と、分割番号と、権利適用情報と、著作権規則情報と、区分情報とを対応づけて格納している。視聴権利情報を記憶するテーブルでは、著作権情報管理識別情報と、分割方法識別情報と、区分抽出情報と、著作権特定情報とを対応づけて格納している。
【００７９】
プレイリスト作成サーバ１００の著作権情報記憶部１１１は、著作権情報管理識別情報を追加し、分割方法識別情報を削除した点が、著作権管理サーバ３００の著作権情報記憶部３１１と異なっている。その他の要素は著作権情報記憶部３１１と同様であるのでその説明を省略する。
【００８０】
著作権情報管理識別情報は、後述するプレイリスト記憶部１１２に記憶されるプレイリストの情報と対応づけるための識別情報である。
【００８１】
分割方法識別情報を削除したのは、著作権情報を著作権管理サーバ３００から取得する際に、コンテンツ識別情報と利用者の視聴権利情報とを送信し、著作権情報のうち、当該視聴権利情報に含まれる分割方法識別情報に対応する部分だけを著作権管理サーバ３００から受信しているからである。
【００８２】
プレイリスト記憶部１１２は、作成した視聴可能プレイリストを記憶する記憶手段であり、ＨＤＤ、光ディスク、メモリカード、ＲＡＭなどの一般的に利用されているあらゆる記憶手段により構成することができる。
【００８３】
プレイリスト記憶部１１２は、プレイリストの作成が要求された際に新たに割り当てられたプレイリスト管理識別情報と、利用者が作成したプレイリストと、当該利用者の視聴権利情報と、作成した視聴可能プレイリストとを対応づけて格納する。格納した情報は、別の利用者などがプレイリストの作成を要求した際に参照され、条件を満たす視聴可能プレイリストが既に記憶されている場合は、プレイリスト記憶部１１２から視聴可能プレイリストが取得され、映像視聴端末２００に送信される。このため、視聴可能プレイリストの作成負担を軽減することができる。
【００８４】
図１３は、プレイリスト記憶部１１２のデータ構造の一例を示す説明図である。同図に示すように、プレイリスト記憶部１１２は、利用者から送信されたプレイリストを記憶するテーブルと、利用者から送信された視聴権利情報を記憶するテーブルと、作成した視聴可能プレイリストを記憶するテーブルとを含んでいる。これらのテーブルは、視聴可能プレイリストを一意に識別するためのプレイリスト管理識別情報によって対応づけられている。
【００８５】
プレイリスト管理識別情報は、上述の著作権情報記憶部１１１における著作権情報管理識別情報に対応するものであり、本実施の形態においては、共通の識別情報を割り当てている。なお、プレイリスト管理識別情報を用いずに、プレイリストと視聴権利情報と視聴可能プレイリストとを１つのテーブルに格納するように構成してもよい。
【００８６】
次に、このように構成された本実施の形態にかかるコンテンツ管理システムにおける視聴可能プレイリストの作成要求・作成・受信処理について説明する。
【００８７】
本実施の形態では、映像視聴端末２００で新規に作成されたプレイリストは、プレイリスト作成サーバ１００に送信され、プレイリスト識別情報を付加された上でプレイリスト作成サーバ１００上のプレイリスト記憶部１１２に記憶されるものとする。また、視聴可能プレイリストを作成する場合は、プレイリスト作成サーバ１００から受信した既存のプレイリストを映像視聴端末２００に表示し、表示したプレイリストの中から利用者により選択されたプレイリストのプレイリスト識別情報をプレイリスト作成サーバ１００に送信して、視聴可能プレイリストが作成されるものとする。
【００８８】
なお、プレイリストを新規に作成し、プレイリスト作成サーバ１００に送信すると同時に視聴可能プレイリストを作成するように構成してもよい。この場合は、映像視聴端末２００からプレイリスト識別情報を送信することができないため、新規に作成したプレイリストそのものを送信し、プレイリスト作成サーバ１００上でプレイリスト識別情報を付与した後に視聴可能プレイリストを作成するように構成する。
【００８９】
図１４は、本実施の形態における視聴可能プレイリストの作成要求・作成・受信処理の全体の流れを示すフローチャートである。まず、表示された既存のプレイリストから利用者が選択したプレイリストについて、視聴可能プレイリスト要求部２０１が視聴可能プレイリストの作成を要求する（ステップＳ１４０１）。次に、端末送受信部２０２が、要求されたプレイリストのプレイリスト識別番号と、端末視聴権利情報記憶部２１１から取得した視聴権利情報とをプレイリスト作成サーバ１００に送信する（ステップＳ１４０２）。
【００９０】
なお、新規にプレイリストを作成すると同時に視聴可能プレイリストの作成を行う場合は、端末送受信部２０２は、作成したプレイリストと、視聴権利情報とをプレイリスト作成サーバ１００に送信する。プレイリスト識別番号は、プレイリスト作成サーバ１００で付与される。
【００９１】
次に、プレイリスト作成サーバ１００において、端末サーバ送受信部１０２が、映像視聴端末２００の端末送受信部２０２が送信したプレイリスト識別番号と視聴権利情報とを受信する（ステップＳ１４０３）。続いて、プレイリスト検索部１０５が、受信したプレイリスト識別番号と視聴権利情報とに対応する視聴可能プレイリストが、プレイリスト記憶部１１２に存在するか否かを判断する（ステップＳ１４０４）。
【００９２】
例えば、プレイリスト作成サーバ１００において、図１３に示すような情報がプレイリスト記憶部１１２に記憶されている状態で、プレイリスト識別情報「１」と、図３に示すような視聴権利情報とが映像視聴端末２００から送信された場合を考える。この場合、図１３に示すように、プレイリスト識別情報が「１」（プレイリスト管理識別情報が「Ｋ４０３Ｂ」）で識別される視聴可能プレイリストの情報が既に存在するため、ステップＳ１４０４において対応する視聴可能プレイリストが存在すると判断される。
【００９３】
対応する視聴可能プレイリストが存在すると判断された場合は（ステップＳ１４０４：ＹＥＳ）、プレイリスト検索部１０５は、プレイリスト記憶部１１２から当該視聴可能プレイリストを取得する（ステップＳ１４０５）。このように、既に作成されている視聴可能プレイリストを流用することにより、視聴可能プレイリストの作成負担を軽減することができる。
【００９４】
ステップＳ１４０４において、対応する視聴可能プレイリストが存在しないと判断された場合は（ステップＳ１４０４：ＮＯ）、著作権情報検索部１０４が、受信したプレイリスト識別情報と視聴権利情報とに対応する著作権情報が、著作権情報記憶部１１１に存在するか否かを判断する（ステップＳ１４０６）。
【００９５】
例えば、プレイリスト作成サーバ１００において、図１２に示すような情報が著作権情報記憶部１１１に記憶され、図１３に示すような情報がプレイリスト記憶部１１２に記憶されている状態で、図３に示すような視聴権利情報およびプレイリスト識別情報「１」が映像視聴端末２００から送信されたとする。この場合、図１３に示すようなプレイリストの情報からプレイリスト識別番号が「１」のコンテンツのコンテンツ識別番号が「Ａ３０６５７」であることが分かり、コンテンツ識別番号が「Ａ３０６５７」であり、図３に示すような視聴権利情報と一致する著作権情報として、著作権情報管理識別情報が「Ｋ４０３Ｂ」である情報が既に存在するため、ステップＳ１４０６において対応する著作権情報が存在すると判断される。
【００９６】
対応する著作権情報が存在すると判断された場合は（ステップＳ１４０６：ＹＥＳ）、著作権情報検索部１０４は、著作権情報記憶部１１１から当該著作権情報を取得する（ステップＳ１４０７）。このように、既に登録されている著作権情報を流用することにより、著作権管理サーバ３００に対する情報の送受信処理の負担を軽減することができる。
【００９７】
ステップＳ１４０６において、対応する著作権情報が存在しないと判断された場合は（ステップＳ１４０６：ＮＯ）、サーバ間送受信部１０３が、著作権管理サーバ３００に対して著作権情報の取得依頼を送信する（ステップＳ１４０８）。具体的には、著作権管理サーバ３００に対して、コンテンツ識別情報と視聴権利情報とを送信する。
【００９８】
次に、著作権管理サーバ３００において、著作権管理サーバ送受信部３０１が、プレイリスト作成サーバ１００のサーバ間送受信部１０３から送信されたコンテンツ識別情報と視聴権利情報とを受信し、受信したコンテンツ識別情報と視聴権利情報とに対応する著作権情報を著作権情報記憶部３１１から取得し、プレイリスト作成サーバ１００に送信する（ステップＳ１４０９）。
【００９９】
例えば、著作権管理サーバ３００上の著作権情報記憶部３１１に、図８で示すような著作権情報が登録されており、コンテンツ識別情報「Ａ３０６５７」と、図３で示すような視聴権利情報とが送信されたとする。この場合、視聴権利情報に含まれる分割方法識別情報が「１」であるので、著作権情報記憶部３１１から、コンテンツ識別情報が「Ａ３０６５７」の著作権情報のうち、分割方法識別情報が「１」である部分がプレイリスト作成サーバ１００に送信される。
【０１００】
なお、プレイリスト作成サーバ１００のサーバ間送受信部１０３からはコンテンツ識別情報のみを送信し、送信されたコンテンツ識別情報に対応する著作権情報全体をプレイリスト作成サーバ１００に送信するように構成してもよい。この場合、プレイリスト作成サーバ１００上の著作権情報記憶部１１１は、分割方法識別情報も保持するようなデータ構造とする必要がある。
【０１０１】
次に、プレイリスト作成サーバ１００において、サーバ間送受信部１０３が、著作権管理サーバ３００の著作権管理サーバ送受信部３０１から送信された著作権情報を受信する（ステップＳ１４１０）。
【０１０２】
ステップＳ１４０７において著作権情報記憶部１１１から著作権情報を取得した後、または、ステップＳ１４０９において著作権管理サーバ送受信部３０１から著作権情報を受信した後、プレイリスト作成部１０１が視聴可能プレイリスト作成処理を実行する（ステップＳ１４１１）。視聴可能プレイリスト作成処理の詳細については後述する。
【０１０３】
視聴可能プレイリストが作成された後、端末サーバ送受信部１０２は、作成した視聴可能プレイリストを映像視聴端末に送信する（ステップＳ１４１２）。
【０１０４】
次に、映像視聴端末２００において、端末送受信部２０２が、プレイリスト作成サーバ１００の端末サーバ送受信部１０２により送信された視聴可能プレイリストを受信し（ステップＳ１４１３）、視聴可能プレイリストの作成要求・作成・受信処理が終了する。
【０１０５】
なお、映像視聴端末２００においては、この後、受信した視聴可能プレイリストを視聴可能プレイリスト記憶部２１４に格納し利用することができる。また、再生部２０３により、視聴可能プレイリストに従ってコンテンツの再生を行うことができる。
【０１０６】
次に、ステップＳ１４１１における視聴可能プレイリスト作成処理の詳細について説明する。図１５は、本実施の形態における視聴可能プレイリスト作成処理の全体の流れを示すフローチャートである。
【０１０７】
まず、視聴可能プレイリスト生成部１０１ｂが、受信したプレイリスト識別情報に対応するプレイリストから最初の開始位置情報と終了位置情報を取得する（ステップＳ１５０１）。例えば、図６に示すようなプレイリストの場合、最初の開始位置情報と終了位置情報として、「２５：３０：５０」および「２７：１３：００」が取得される。
【０１０８】
次に、視聴可能プレイリスト生成部１０１ｂが、著作権情報の視聴制約区分から最初の開始位置情報と終了位置情報とを取得する（ステップＳ１５０２）。例えば、図１２に示すような著作権情報の場合、最初の開始位置情報と終了位置情報として、「００：００：００」および「０４：５９：９９」が取得される。なお、この際には、適用基準の値（０か１か）に従い、区分情報の左側または右側の開始位置情報および終了位置情報を取得する必要がある。図１２の例では、適用基準が０であるため、左側に記載された開始位置情報および終了位置情報を取得する。
【０１０９】
次に、視聴可能プレイリスト生成部１０１ｂが、ステップＳ１５０１で取得したプレイリストの開始位置情報および終了位置情報と、ステップＳ１５０２で取得した著作権情報の開始位置情報および終了位置情報とが重なっているか否かを判断する（ステップＳ１５０３）。ここで、開始位置情報および終了位置情報が重なっているとは、開始位置情報および終了位置情報で表される区分が完全に一致している場合だけでなく、一部が重複している場合も含む。
【０１１０】
開始位置情報および終了位置情報が重なっていないと判断された場合は（ステップＳ１５０３：ＮＯ）、当該区分に対応する著作権情報の規則は適用する必要がないため、すべての区分情報を処理したか否かの判断処理を実行する（ステップＳ１５１１）。
【０１１１】
上述の例では、プレイリストから取得した開始位置情報および終了位置情報は「２５：３０：５０」および「２７：１３：００」であり、著作権情報から取得した開始位置情報および終了位置情報は「００：００：００」および「０４：５９：９９」であるため、両者は重なっていないと判断される。なお、この例では、分割番号が「７」に対応する区分情報から取得される開始位置情報および終了位置情報（「２３：００：００」および「２７：５９：９９」）まで両者は重ならないため、それまでステップＳ１５０２、ステップＳ１５０３、ステップＳ１５１１の処理が繰り返される。
【０１１２】
ステップＳ１５０３において、開始位置情報および終了位置情報が重なっていると判断された場合（ステップＳ１５０３：ＹＥＳ）、視聴制約区分取得部１０１ａは、ステップＳ１４０３において端末サーバ送受信部１０２が受信した視聴権利情報に含まれる著作権特定情報と、取得した視聴制約区分に対応する権利適用情報の各桁の論理積の総和を算出する（ステップＳ１５０４）。
【０１１３】
例えば、著作権特定情報が「０１０」、権利適用情報が「１１１」である場合は、１桁目の論理積は０、２桁目の論理積は１、３桁目の論理積は０となり、各桁の論理積の総和が１となる。
【０１１４】
次に、視聴制約区分取得部１０１ａが、算出した値が１以上であるか否かを判断し（ステップＳ１５０５）、１以上でない場合は（ステップＳ１５０５：ＮＯ）、当該区分に対応する著作権情報の規則は適用する必要がないため、すべての区分情報を処理したか否かの判断処理を実行する（ステップＳ１５１１）。
【０１１５】
算出した値が１以上である場合は（ステップＳ１５０５：ＹＥＳ）、視聴制約区分取得部１０１ａは、ステップＳ１４０３において端末サーバ送受信部１０２が受信した視聴権利情報に含まれる区分抽出情報が０であるか否かを判断する（ステップＳ１５０６）。
【０１１６】
区分抽出情報が０である場合は（ステップＳ１５０６：ＹＥＳ）、視聴制約区分取得部１０１ａは、プレイリストで指定された視聴区分の開始位置情報および終了位置情報を、視聴可能プレイリストの開始位置情報および終了位置情報として設定する（ステップＳ１５０７）。
【０１１７】
区分抽出情報が０でない場合は（ステップＳ１５０６：ＮＯ）、視聴制約区分取得部１０１ａは、著作権情報内に記述された視聴制約区分の開始位置情報および終了位置情報を、視聴可能プレイリストの開始位置情報および終了位置情報として設定する（ステップＳ１５０８）。
【０１１８】
次に、視聴可能プレイリスト生成部１０１ｂは、現在処理中の視聴制約区分に対応する著作権規則情報の処理内容（命令）を取得する（ステップＳ１５０９）。具体的には、視聴制約区分に対応する著作権規則情報内の接続情報、命令情報、適用基準をそれぞれ取得し、これらの値に従い、図９に示すような処理内容を取得する。
【０１１９】
例えば、図１２に示す分割番号が「７」に対応する視聴制約区分（「２３：００：００」および「２７：５９：９９」）を処理している場合、対応する著作権規則情報として、接続情報が「１」、命令情報が「１」、適用基準が「０」が得られる。これに対応する処理内容として、図９に示すように、「視聴制約区分の後方に、関連視聴区分が存在しないことを確認する。存在する場合は、コンテンツを分割した順になるように関連視聴区分を移動する。」という処理内容が取得される。
【０１２０】
次に、視聴可能プレイリスト生成部１０１ｂは、取得した命令を適用し、必要に応じて関連視聴区分の挿入や並び替えを実行して、視聴可能プレイリストに追加する（ステップＳ１５１０）。
【０１２１】
例えば、図１２に示す分割番号が「７」に対応する視聴制約区分（「２３：００：００」および「２７：５９：９９」）に対し、「視聴制約区分の後方に、関連視聴区分が存在しないことを確認する。存在する場合は、コンテンツを分割した順になるように関連視聴区分を移動する。」という処理内容が取得された場合を考える。この場合、関連視聴区分は、視聴制約区分の右側に記載された「００：００：００」および「０４：５９：９９」で示される区分である。ここで、図６に示すようなプレイリストにおいて、２番目の区分が「００：００：００」および「０３：３０：００」であり、関連視聴区分と重なっているため、上記処理内容に従い、コンテンツを分割した順になるように、すなわち、１番目の区分と２番目の区分を入れ替えるように移動して視聴可能プレイリストに追加される。
【０１２２】
次に、視聴可能プレイリスト生成部１０１ｂは、すべての視聴制約区分を処理したか否かの判断処理を実行する（ステップＳ１５１１）。すべての視聴制約区分が処理されていない場合は（ステップＳ１５１１：ＮＯ）、次の視聴制約区分を取得して処理を繰り返す（ステップＳ１５０２）。
【０１２３】
すべての視聴制約区分が処理されている場合は（ステップＳ１５１１：ＹＥＳ）、視聴可能プレイリスト生成部１０１ｂは、プレイリスト内のすべての開始位置情報と終了位置情報を処理したか否かについて判断する（ステップＳ１５１２）。
【０１２４】
プレイリスト内のすべての開始位置情報と終了位置情報が処理されていない場合は（ステップＳ１５１２：ＮＯ）、プレイリストから次の開始位置情報と終了位置情報を取得して処理を繰り返す（ステップＳ１５０１）。
【０１２５】
プレイリスト内のすべての開始位置情報と終了位置情報が処理された場合は（ステップＳ１５１２：ＹＥＳ）、視聴可能プレイリスト作成処理を終了する。
【０１２６】
次に、本実施の形態における視聴可能プレイリスト作成画面、視聴可能プレイリスト表示画面、およびプレイリスト作成画面について説明する。まず、視聴可能プレイリストを作成する前提として、映像視聴端末２００上でプレイリストを作成する必要があるが、そのときに表示されるプレイリスト作成画面について説明する。
【０１２７】
図１６は、プレイリスト作成画面の一例を示す説明図である。同図に示すように、プレイリスト作成画面１６０１は、コンテンツを表示する表示エリア１６０２と、コンテンツの再生時刻を表す映像時刻エリア１６０３と、開始時刻登録ボタン１６０４と、終了時刻登録ボタン１６０５と、再生・停止・一時停止・巻き戻し・早送りの操作を指定する操作ボタン１６１１と、プレイリスト作成ボタン１６１２と、コンテンツ選択ボタン１６１３と、プレイリスト表示エリア１６２０とを含んでいる。
【０１２８】
プレイリストを作成する際には、まず、コンテンツ選択ボタン１６１３をクリックすることにより表示されるコンテンツ選択画面（後述）から、プレイリストの作成元となるコンテンツを選択する。次に、操作ボタン１６１１により抽出する区分の最初のフレームに移動し、開始時刻登録ボタン１６０４をクリックして開始時刻を登録する。同様に、抽出する区分の最後のフレームに移動し、終了時刻登録ボタン１６０５をクリックして終了時刻を登録する。この操作を抽出する区分ごとに行い、すべての区分の抽出が完了後、プレイリスト作成ボタン１６１２をクリックすることにより、プレイリストが作成され、端末プレイリスト記憶部２１３に記憶される。なお、図１６に示すように抽出された区分からプレイリストを作成し、端末プレイリスト記憶部２１３に記憶した場合のプレイリストの例が図６に示されている。
【０１２９】
図１７は、コンテンツ選択画面の一例を示す説明図である。同図に示すように、コンテンツ選択画面１７０１は、記憶されているコンテンツを階層構造により表示する表示エリア１７０２と、選択したデータを表示する選択データ表示エリア１７０３と、決定ボタン１７０４と、キャンセルボタン１７０５とを含んでいる。
【０１３０】
表示エリア１７０２内で所望のコンテンツを選択し、決定ボタン１７０４をクリックすることにより、プレイリストを作成するコンテンツの選択が決定する。キャンセルボタン１７０５をクリックすると、プレイリスト作成画面に戻る。
【０１３１】
次に、映像視聴端末２００において、視聴可能プレイリストの作成元となるプレイリストを選択して視聴可能プレイリストの作成指示を行う視聴可能プレイリスト作成画面について説明する。図１８は、視聴可能プレイリスト作成画面の一例を示す説明図である。
【０１３２】
同図に示すように視聴可能プレイリスト作成画面１８０１は、プレイリスト作成サーバ１００から受信した既存のプレイリストの内容を表示するプレイリスト内容表示エリア１８０２と、プレイリストの選択を指定するためのチェックボックス１８０３と、プレイリスト作成サーバ１００に対して視聴可能プレイリストの作成要求を行うための視聴可能プレイリスト作成ボタン１８０４とを含んでいる。
【０１３３】
利用者は、表示されたプレイリストの内容を確認し、自分の視聴権利情報に適合した視聴可能プレイリストの作成を希望するプレイリストについて、チェックボックス１８０３をチェックし、視聴可能プレイリスト作成ボタン１８０４をクリックする。これにより、チェックしたプレイリストの視聴可能プレイリストを作成することができる。
【０１３４】
次に、プレイリスト作成サーバ１００が作成した視聴可能プレイリストを表示する視聴可能プレイリスト表示画面について説明する。図１９は、映像視聴端末２００において表示される、視聴可能プレイリスト表示画面の一例を示す説明図である。
【０１３５】
視聴可能プレイリスト表示画面は、視聴可能プレイリスト作成画面において視聴可能プレイリストの作成指示が送信された後、プレイリスト作成サーバ１００が作成した視聴可能プレイリストを受信し、その内容を表示する画面である。
【０１３６】
同図に示すように、視聴可能プレイリスト表示画面１９０１は、コンテンツの全再生区間を表示する再生区間表示エリア１９０２と、視聴可能な区間を斜線により示した視聴可能区間表示エリア１９０３と、視聴可能区間表示エリア１９０３に対応するサムネイル画像１９０４と、ダウンロードする視聴可能プレイリストを指定するためのチェックボックス１９０５と、指定された視聴可能プレイリストをダウンロードするためのダウンロードボタン１９０６とを含んでいる。
【０１３７】
このように、視聴可能プレイリスト表示画面１９０１は、個々の利用者の視聴権利情報に適合した視聴可能プレイリストを視覚的に表示するため、利用者は視聴可能プレイリストの内容を的確かつ容易に把握することができる。また、個々の利用者の視聴権利情報をプレイリスト作成サーバ１００に送信し、送信した視聴権利情報に合わせて編集済みのプレイリストである視聴可能プレイリストをダウンロードして使用することができるため、表示された視聴可能プレイリストのとおりにコンテンツを再生することができる。
【０１３８】
すなわち、視聴可能プレイリストの作成前に、他の利用者などが作成した既存のプレイリストを視覚的に表示し、その中から選択したプレイリストに対して視聴可能プレイリストを作成して再生する方法では、表示された内容と異なるプレイリストに従いコンテンツが再生される場合が生じうるが、本実施の形態の方法ではそのような問題が発生しないという利点がある。
【０１３９】
次に、上述した視聴可能プレイリスト作成処理の具体例を説明する。この例では、図６に示すようなプレイリストを新規に作成してプレイリスト作成サーバ１００に登録した後（プレイリスト識別情報に「１」が付与されたものとする）、当該プレイリストに対して視聴可能プレイリストを作成する場合について説明する。したがって、映像視聴端末２００が指定するプレイリスト識別情報に対応する視聴可能プレイリストはプレイリスト記憶部１１２に記憶されておらず、また、該当するコンテンツの著作権情報は著作権情報記憶部１１１に記憶されていないことを前提とする。また、著作権管理サーバ３００には、図８に示すような著作権情報が登録されていることを前提とする。
【０１４０】
まず、映像視聴端末２００からプレイリスト識別情報「１」と、図３で示すような視聴権利情報が送信され（ステップＳ１４０２）、プレイリスト作成サーバ１００で受信されたとする（ステップＳ１４０３）。
【０１４１】
プレイリスト検索部１０５が、受信した情報に対応する視聴可能プレイリストを検索するが、対応する視聴可能プレイリストが存在しないため（ステップＳ１４０４：ＮＯ）、著作権情報検索部１０４が、受信した情報に対応する著作権情報を著作権情報記憶部１１１から検索し、対応する著作権情報が存在するか否か判定する（ステップＳ１４０６）。
【０１４２】
この例では著作権情報もプレイリスト作成サーバ１００上には存在しないため（ステップＳ１４０６：ＮＯ）、サーバ間送受信部１０３が、プレイリスト識別情報「１」に対応するコンテンツ識別情報「Ａ３０６５７」と図３に示す視聴権利情報とを著作権管理サーバ３００に送信する（ステップＳ１４０８）。
【０１４３】
図３に示す視聴権利情報に含まれる分割方法識別情報は「１」であるため、著作権管理サーバ３００は、対応する著作権情報として、図８に示す著作権情報のうち、分割方法識別情報が「１」である部分を取得して、プレイリスト作成サーバ１００に送信する（ステップＳ１４０９）。
【０１４４】
これを受信したプレイリスト作成サーバ１００は（ステップＳ１４１０）、視聴可能プレイリスト作成処理を実行する（ステップＳ１４１１）。
【０１４５】
まず、図６に示すようなプレイリストの中から、最初の開始位置情報および終了位置情報として、「２５：３０：５０」および「２７：１３：００」が取得される。次に、著作権情報の視聴制約区分に含まれる開始位置情報および終了位置情報と重なるものを、分割番号１から順に検索する（ステップＳ１５０２、ステップＳ１５０３）。
【０１４６】
この例では、コンテンツの著作権情報の分割番号７に対応する視聴制約区分が抽出される。次に、図３に示す視聴権利情報に含まれる著作権特定情報「０１０」と、抽出した視聴制約区分に対応する権利適用情報「１１１」との論理積の総和が算出され（ステップＳ１５０４）、総和が１であるため（ステップＳ１５０５：ＹＥＳ）、区分抽出情報の判定処理が実行される（ステップＳ１５０６）。
【０１４７】
図３に示す視聴権利情報に含まれる区分抽出情報は「１」であるため（ステップＳ１５０６：ＮＯ）、著作権情報内に記述された視聴制約区分の開始位置情報および終了位置情報が、視聴可能プレイリストの開始位置情報および終了位置情報として設定される（ステップＳ１５０８）。具体的には、プレイリストに記載された開始位置情報および終了位置情報である「２５：３０：５０」および「２７：１３：００」ではなく、著作権情報内の開始位置情報および終了位置情報である「２３：００：００」および「２７：５９：９９」が視聴可能プレイリストに設定される。
【０１４８】
この後、対応する著作権規則情報の処理内容が取得される（ステップＳ１５０９）。この例では、分割番号７に対応する著作権規則情報は、接続情報が「１」、命令情報が「１」、適用基準が「０」であるので、これに対応する処理内容として、図９に示すように、「視聴制約区分の後方に、関連視聴区分が存在しないことを確認する。存在する場合は、コンテンツを分割した順になるように関連視聴区分を移動する。」という処理内容が取得される。
【０１４９】
この処理内容は、開始位置情報および終了位置情報が「２５：３０：５０」および「２７：１３：００」の区分の後に、開始位置情報および終了位置情報が「００：００：００」および「０４：５９：９９」の区分が存在することを禁止する規則であり、図６に示すプレイリストはこの規則の条件を満たさないため、処理内容に従い順序の入れ替え処理が実行される。具体的には、開始位置情報および終了位置情報が「００：００：００」および「０４：５９：９９」の区分が開始位置情報および終了位置情報が「２５：３０：５０」および「２７：１３：００」の区分の前に再生されるように順序が変更される。
【０１５０】
この後、次に適用すべき視聴制約区分が存在するかの確認が行われるが（ステップＳ１５１１）、分割番号７は最後の番号であるので（ステップＳ１５１１：ＹＥＳ）、プレイリストから次の開始位置情報および終了位置情報として「００：００：００」および「０３：３０：００」が取得され、処理が繰り返される（ステップＳ１５１２、ステップＳ１５０１）。
【０１５１】
以降の処理は同様のため詳細は省略するが、プレイリストの開始位置情報および終了位置情報が「００：００：００」および「０３：３０：００」の区分（２番目の区分）に対しては、著作権情報の分割番号１に対応する規則により、開始位置情報および終了位置情報が「１０：００：００」および「１０：５９：９９」の区分が追加される。
【０１５２】
また、プレイリストの開始位置情報および終了位置情報が「１２：００：００」および「１３：４８：５９」の区分（３番目の区分）に対しては、著作権情報の分割番号４に対応する規則により、開始位置情報および終了位置情報が「２２：００：００」および「２２：５９：９９」の区分が追加される。
【０１５３】
最終的に、図２０に示すような視聴可能プレイリストが作成され、映像視聴端末２００に送信される（ステップＳ１４１２）。図６と図２０を比較すると分かるように、利用者が作成したプレイリスト（図６）を基にして上述の方法により視聴可能プレイリストを作成すると、ある区分に関連して視聴しなければならない区分が追加されて、または位置が移動されて、著作権者が設定した著作権情報を満たすプレイリストを作成することができる（図２０）。
【０１５４】
このように、本実施の形態にかかるプレイリスト作成サーバ１００では、著作権者が予め設定したコンテンツの視聴の条件を著作権管理サーバ３００に登録し、利用者に付与された視聴の条件と、利用者が映像視聴端末において作成してプレイリスト作成サーバ１００に登録したプレイリストとから、両者の視聴の条件を満たすプレイリストを作成することができる。このため、著作権の保護を実現しつつ、利用者に対して利便性の高いプレイリストを作成することができる。また、他の利用者の作成したプレイリストを基にして条件を満たすプレイリストを作成することができるため、他の利用者とのプレイリストの共有を実現することができる。
【０１５５】
本実施の形態にかかるプレイリスト作成装置は、ＣＰＵ（Ｃｅｎｔｒａｌ  Ｐｒｏｃｅｓｓｉｎｇ  Ｕｎｉｔ）などの制御装置と、ＲＯＭ（Ｒｅａｄ  Ｏｎｌｙ  Ｍｅｍｏｒｙ）やＲＡＭなどの記憶装置と、ＨＤＤ、ＣＤ（Ｃｏｍｐａｃｔ  Ｄｉｓｃ）ドライブ装置などの外部記憶装置と、ディスプレイ装置などの表示装置と、キーボードやマウスなどの入力装置を備えており、通常のコンピュータを利用したハードウェア構成となっている。
【０１５６】
本実施の形態にかかるプレイリスト作成装置で実行されるプレイリスト作成プログラムは、インストール可能な形式又は実行可能な形式のファイルでＣＤ−ＲＯＭ、フレキシブルディスク（ＦＤ）、ＣＤ−Ｒ（Ｃｏｍｐａｃｔ  Ｄｉｓｋ  Ｒｅｃｏｒｄａｂｌｅ）、ＤＶＤ（Ｄｉｇｉｔａｌ  Ｖｅｒｓａｔｉｌｅ  Ｄｉｓｋ）等のコンピュータで読み取り可能なプレイリスト作成プログラムに記録されて提供される。
【０１５７】
また、本実施の形態にかかるプレイリスト作成装置で実行されるプレイリスト作成プログラムを、インターネット等のネットワークに接続されたコンピュータ上に格納し、ネットワーク経由でダウンロードさせることにより提供するように構成しても良い。また、本実施の形態にかかるプレイリスト作成装置で実行されるプレイリスト作成プログラムをインターネット等のネットワーク経由で提供または配布するように構成しても良い。
【０１５８】
また、本実施の形態のプレイリスト作成プログラムを、ＲＯＭ等に予め組み込んで提供するように構成してもよい。
【０１５９】
本実施の形態にかかるプレイリスト作成装置で実行されるプレイリスト作成プログラムは、上述した各部（プレイリスト作成部、端末サーバ送受信部、サーバ間送受信部、著作権情報検索部、プレイリスト検索部）を含むモジュール構成となっており、実際のハードウェアとしてはＣＰＵ（プロセッサ）が上記記憶媒体からプレイリスト作成プログラムを読み出して実行することにより上記各部が主記憶装置上にロードされ、上述した各部が主記憶装置上に生成されるようになっている。
【０１６０】
以上説明した第１の実施の形態のコンテンツ管理システムは、映像視聴端末２００と著作権管理サーバ３００との間に専用のプレイリスト作成サーバ１００を備え、視聴可能プレイリストを作成するようにしていた。これに対し、以下に説明する第２乃至第４の実施の形態のコンテンツ管理システムは、専用のプレイリスト作成サーバ１００を設けることなく実現するものである。
【０１６１】
図２１は、このような第２乃至第４の実施の形態にかかるコンテンツ管理システムの全体の構成を示したものである。同図に示すように、コンテンツ管理システムは、映像視聴端末２１００（２１１０、２１２０）と映像視聴端末２２００（２２１０、２２２０）とがネットワーク１０を介して接続され、映像視聴端末２１００（２１１０、２１２０）および映像視聴端末２２００（２２１０、２２２０）と著作権管理サーバ２３００（２３１０、２３２０）とがそれぞれネットワーク２０を介して接続されている。なお、映像視聴端末２１００（２１１０、２１２０）、２２００（２２１０、２２２０）は、どちらで映像視聴するかによって役割が異なるために異なる図番号を付したが、共に同等の機能を備えている。
【０１６２】
このようなコンテンツ管理システムの下、第２の実施の形態は、コンテンツの視聴を行う映像視聴端末２２００がプレイリストを一意に識別するためのプレイリスト識別情報と利用者ごとの視聴権利情報とをプレイリストを保持する他の映像視聴端末２１００に送信し、プレイリストを保持する映像視聴端末２１００が受信したプレイリスト識別情報および視聴権利情報から予め著作権情報記憶部に登録された著作権情報を満たすように編集して作成した視聴可能プレイリストを返信し、コンテンツの視聴を行う映像視聴端末２２００がこの受信した視聴可能プレイリストに基づくコンテンツの視聴を行った後、視聴可能プレイリストと視聴権利情報とを著作権管理サーバ２３００に送信することにより、信頼の置けるとは限らない映像視聴端末２１００で視聴可能プレイリストの作成を行わせつつ不正な視聴権利情報によるコンテンツの視聴が行われていないことを確認するというものである。
【０１６３】
また、第３の実施の形態は、コンテンツの視聴を行う映像視聴端末２２１０がプレイリストを一意に識別するためのプレイリスト識別情報と利用者ごとの視聴権利情報とをプレイリストを保持する他の映像視聴端末２１１０に送信し、プレイリストを保持する映像視聴端末２１１０が受信したプレイリスト識別情報および視聴権利情報から予め著作権情報記憶部に登録された著作権情報を満たすように編集して作成した視聴可能プレイリストを返信し、コンテンツの視聴を行う映像視聴端末２２１０がこの受信した視聴可能プレイリストに基づくコンテンツの視聴を行いつつ、この映像視聴端末２２１０がその視聴可能プレイリストが正当に作成されているかを確認するというものである。
【０１６４】
また、第４の実施の形態は、コンテンツの視聴を行う映像視聴端末２２２０がプレイリストを保持する映像視聴端末２１２０から取得したプレイリストおよび自身の映像視聴端末２２２０内に設定された利用者ごとの視聴権利情報から、著作権管理記憶部に登録された著作権情報を満たすように視聴可能プレイリストを作成し再生するとともに、視聴可能プレイリストと視聴権利情報とを著作権管理サーバ２３２０に送信し、著作権管理サーバは視聴可能プレイリストが著作権情報を満たすように作成されていることを確認するというものである。
【０１６５】
第２乃至４の実施の形態は、各ユーザの映像視聴端末２１００、２１１０、２２２０が、視聴可能プレイリストを作成する点が第１の実施の形態と異なっており、そのため、その作成された視聴可能プレイリストが、コンテンツの著作者の意図を守っているかがわからない。そこで、第２乃至第４の実施の形態では、何れも作成された視聴可能プレイリストが視聴権利情報を満たしているかを確認する、すなわち視聴可能プレイリストの検査機能を備えるようにした。
【０１６６】
以下に、第２〜４の実施の形態を順に説明する。まず、第２の実施の形態について説明する。
【０１６７】
図２２は、第２の実施の形態にかかるコンテンツ管理システムの映像視聴端末２１００，２２００と著作権管理サーバ２３００の機能構成を示す図である。
【０１６８】
映像視聴端末２１００、２２００は、映像視聴処理部２４００とプレイリスト作成処理部２５００と端末側検査処理部２６００とを備える。映像視聴処理部２４００は、第１の実施の形態の図２に示した映像視聴端末２００内の各機能ブロックを備えたものであるため、その内部の各説明は第１の実施の形態を参照することとし、ここでは省略する。また、プレイリスト作成処理部２５００も、第１の実施の形態の図１０に示したプレイリスト作成サーバ１００内の各機能ブロックを備えたものであるため、その内部の各説明は第１の実施の形態を参照することとし、ここでは省略する。映像視聴処理部２４００は、他のプレイリスト作成処理部２５００とネットワーク１０を介して接続可能な構成となっている。
【０１６９】
端末側検査処理部２６００は、映像視聴処理部２４００の再生部２０３で利用された視聴可能プレイリストの検査を行うための映像視聴端末２１００、２２００側に係る処理を行うものである。端末側検査処理部２６００は、ネットワーク２０を介して著作権管理サーバ２３００と接続可能な構成となっている。
【０１７０】
著作権管理サーバ２３００は、著作権管理処理部２７００とサーバ側検査処理部２８００とを備える。著作権管理処理部２７００は、図７の著作権管理サーバ３００内の各機能ブロックを備えたものであるため、その内部の各説明は第１の実施の形態を参照することとし、ここでは省略する。また、サーバ側検査処理部２８００は、映像視聴端末２１００、２２００の映像視聴処理部２４００の再生部２０３で利用された視聴可能プレイリストの検査を行うための著作権管理サーバ２８００側に係る処理を行うものである。
【０１７１】
以上のようなコンテンツ管理システムは、視聴を行おうとする映像視聴端末２２００の映像視聴処理部２４００が、利用したいプレイリストを所有する別の映像視聴端末２１００のプレイリスト作成処理部２５００へ視聴可能プレイリストを要求して得て再生するとともに、その視聴可能プレイリストの正当性を、端末側検査処理部２６００およびサーバ側検査処理部２８００を設けて検査するものであり、この第２の実施の形態ではこの実際の検査を著作権管理サーバ２３００で行うようになっている。
【０１７２】
次に、視聴可能プレイリストの検査についての詳細を図２３乃至図２５を用いて説明する。図２３は、検査に係る機能ブロックを示したものである。
【０１７３】
端末側検査処理部２６００は、検査情報取得部２６１０と検査情報送信部２６２０とを備える。検査情報取得部２６１０は、再生部２０３から、再生開始前、再生中、または再生終了後に視聴可能プレイリストを取得し、また、端末視聴権利情報記憶部２１１から視聴権利情報を取得するものである。検査情報送信部２６２０は、取得した視聴可能プレイリストと視聴権利情報とを組にして、著作権管理サーバ２３００へ送信するものである。
【０１７４】
第２の実施の形態の視聴可能プレイリストは、第１の実施の形態の図６で説明した視聴可能プレイリストとデータ構造が若干異なっている。図２４は、この第２の実施の形態の視聴可能プレイリストのデータ構造を示す図である。図の比較からも明らかなように、第２の実施の形態の視聴可能プレイリストは、第１の実施の形態の視聴可能プレイリストのほかに、各区分情報が著作権情報により制約された区分情報か否かを識別する適用区分識別情報が記述されている。この情報が「１」であれば著作権情報が適用される前のプレイリストに記載された区分情報であることを示し、「０」であれば著作権情報が適用されたことにより制約された区分情報であることを示す。なお、この各区分情報の付与は、プレイリスト作成処理部２５００内のプレイリスト作成部１０１で行われる。
【０１７５】
著作権管理サーバ２３００のサーバ側検査処理部２８００は、端末情報記憶部２８１０、検査プレイリスト決定部２８２０、プレイリスト確認部２８３０、および不正プレイリスト記憶部２８４０を備える。また、検査プレイリスト決定部２８２０は、著作権管理処理部２７００内の著作権情報検索部３０２へ検索要求を出し、著作権情報記憶部３１１から検索結果を取得できるよう接続される。
【０１７６】
端末情報記憶部２８１０は、著作権管理サーバ送受信部３０１が受信した視聴可能プレイリストと視聴権利情報との組を一時的に記憶するものである。
【０１７７】
検査プレイリスト決定部２８２０は、定期的あるいは不定期的に、端末情報記憶部２８１０に記憶されている視聴可能プレイリストと視聴権利情報の複数の組から一つずつ選択し、選択した視聴可能プレイリストのコンテンツ識別情報に対応する著作権情報を取得するものである。
【０１７８】
プレイリスト確認部２８３０は、検査プレイリスト決定部２８２０が選択した視聴可能プレイリストがそれに対応した視聴権利情報に基づいて作成されていることを、取得した著作権情報を利用して検査するものである。この確認の詳細については、後述する。
【０１７９】
不正プレイリスト記憶部２８４０は、プレイリスト確認部２８３０において確認された視聴プレイリストがそれに対応した視聴権利情報に基づいて作成されていない場合にそれを記憶するものである。
【０１８０】
図２５は、本実施の形態における視聴可能プレイリストの検査の流れを示すフローチャートである。
【０１８１】
まず、視聴可能プレイリストの適用区間識別情報を取得する（ステップＳ１６００）。例えば、図２５の場合、最初の開始位置情報と終了位置情報である「００：００：００」および「０４：５９：９９」が記述された列の適用区間識別情報として「１」が取得される。
【０１８２】
次に、ステップＳ１６００で取得した値が１であるか否かを判断し（ステップＳ１６０１）、１ではない場合は（ステップＳ１６０１：ＮＯ）、視聴可能プレイリスト作成時に著作権情報によって付加された区間であり、著作権情報が適用された区間ではないため、検査する必要がない。
【０１８３】
取得した値が１である場合は（ステップＳ１６０１：ＹＥＳ）、その開始位置情報と終了位置情報を取得する（ステップＳ１６０２）。例えば、最初の開始位置情報と終了位置情報として「００：００：００」および「０４：５９：９９」が取得される。
【０１８４】
次に、著作権情報の開始位置情報と終了位置情報が取得される（ステップＳ１６０３）。例えば、図１２に示すような著作権情報の場合、最初の開始位置情報と終了位置情報として「００：００：００」および「０４：５９：９９」が取得される。
【０１８５】
次に、ステップＳ１６０２で取得された視聴可能プレイリストの開始位置情報および終了位置情報と、ステップＳ１６０３で取得された視聴可能プレイリストの開始位置情報および終了位置情報とが重なっているか否かを判断する（ステップＳ１６０４）。
【０１８６】
上記の例では、プレイリストから取得した開始位置情報と終了位置情報は「００：００：００」および「０４：５９：９９」であり、プレイリストから取得した開始位置情報と終了位置情報は「００：００：００」および「０４：５９：９９」であるため、両者は重なっていると判断される。
【０１８７】
次に、視聴権利情報に含まれる著作権特定情報と、取得した視聴制約区分に対応する権利適用情報の各桁の論理積の総和を算出する（ステップＳ１６０５）。
【０１８８】
算出した値が1以上であるか否かを判断し（ステップＳ１６０６）、１以上でない場合は（ステップＳ１６０６：ＮＯ）、当該区分に対応する著作権情報の規則を適用していないため、検査する必要がなく、すべての区分情報を処理したか否かの判断処理を実行する（ステップＳ１６１０）。
【０１８９】
算出した値が１以上の場合は（ステップＳ１６０６：ＹＥＳ）、現在処理中の視聴制約区分に対応する著作権規則情報の処理内容（命令）を取得する（ステップＳ１６０７）。具体的には、視聴可能プレイリストを作成する際における著作権規則情報の処理内容の取得と同様に、視聴制約区分に対応する著作権規則情報内の接続情報、命令情報、適用基準をそれぞれ取得し、これらの値に従って処理内容を取得する。
【０１９０】
次に、取得した処理内容に従った処理が視聴可能プレイリストに施されているか否かを確認する（ステップＳ１６０８）。
【０１９１】
上述の例では、著作権情報における最初の開始位置情報と終了位置情報である「００：００：００」および「０４：５９：９９」に対応する開始位置情報と終了位置情報である「１０：００：００」および「１０：５９：９９」が接続情報「１」と、命令情報「０」とが示す処理内容である「００：００：００」および「０４：５９：９９」の直後にあることを確認する。
【０１９２】
確認ができなかった場合（ステップＳ１６０８：ＮＯ）、視聴可能プレイリストが著作権情報に基づいて作成されていないため、視聴可能プレイリストと視聴権利情報が不正可能プレイリスト作成部に記憶される（ステップＳ１６１２）。
【０１９３】
確認ができた場合（ステップＳ１６０８：ＹＥＳ）、区分抽出情報が示すように視聴可能プレイリストの開始位置情報と終了位置情報が記述されているか否かを確認する（ステップＳ１６０９）。
【０１９４】
確認ができなかった場合（ステップＳ１６０９：ＮＯ）、視聴可能プレイリストが著作権情報に基づいて作成されていないため、視聴可能プレイリストと視聴権利情報が不正可能プレイリスト作成部に記憶される（ステップＳ１６１２）。
【０１９５】
確認ができた場合（ステップＳ１６０９：ＹＥＳ）、処理中の開始位置情報と終了位置情報に対する著作権情報がすべて適応されたか否かを判断する（ステップＳ１６１０）。すべて適応されていない場合は（ステップＳ１６１０：ＮＯ）、次の視聴制約区分を取得して処理を繰り返す。
【０１９６】
すべての視聴制約区分が処理されている場合は（ステップＳ１６１０：ＹＥＳ）、視聴可能プレイリストにおける開始位置情報と終了位置情報におけるすべての区分が検査されているか否かを判断する（ステップＳ１６１１）。
【０１９７】
すべての区分が検査されていない場合は（ステップＳ１６１１：ＮＯ）、視聴可能プレイリストにおける次の開始位置情報と終了位置情報の取得を行う（ステップＳ１６００）。
【０１９８】
すべての区分が検査された場合は（ステップＳ１６１１：ＹＥＳ）、視聴可能プレイリストの検査処理を終了し、検査を行った視聴可能プレイリストがこれに対応した視聴権利情報にもとづいて作成されていると判断される。
【０１９９】
以上説明した第２の実施の形態では、視聴可能プレイリストを作成するための専用のサーバが不要になり、映像視聴端末間で直接に、視聴可能プレイリストの授受が実現でき、且つ、その視聴可能プレイリストが正当に作成されているかを著作権管理サーバで検査することができる。その検査の結果、不正な視聴可能プレイリストを所有する映像視聴端末に対して何らかの措置を講じることができる。
【０２００】
ところで、視聴可能プレイリストの検査機能は、第２の実施の形態のように信頼の置ける機関によって運営される著作権管理サーバに備えることにより、不正使用を取り締まることができる（不正使用の発見）が、一方、良識あるユーザが正当に視聴することを一早く保障するため（正当使用の保障）には、検査機能を視聴端末側に備えることも考えられる。検査機能を視聴端末側で備えれば、例えば、視聴可能プレイリストに基づいた視聴を行う際に、視聴可能プレイリストが著作権情報を満たしているか否かを確認しながら視聴を行うことも可能である。更に、不正使用の発見および正当使用の保障の両方を実現するためには、視聴端末側および著作権管理サーバ側の双方備えるようにすることも考えられる。これら様々なバリエーションは、その目的に応じて、いずれのようなシステム構成で実現すればよい。
【０２０１】
以下に示す第３の実施の形態は、これらのバリエーションのうち、検査機能を視聴端末側に備える実施の形態である。なお、第３の実施の形態は第２の実施の形態のうち検査機能のみが異なる構成を示すものであり、検査機能に係る構成（図２３）以外は、第２の実施の形態と同様であり説明を省略する。
【０２０２】
第３の実施の形態の検査に係る機能ブロックを図２６に図示する。
【０２０３】
端末側検査処理部２６００は、検査情報取得部２６１０と著作権情報取得部２６３０とプレイリスト確認部２６４０と検査結果送信部２６５０とを備え、サーバ側検査処理部２８００は、不正プレイリスト記憶部２８４０を備える。
【０２０４】
検査情報取得部２６１０は、再生部２０３から、再生中に視聴可能プレイリストを取得し、また、端末視聴権利情報記憶部２１１から視聴権利情報を取得するものである。
【０２０５】
著作権情報取得部２６３０は、再生部２０３からの視聴可能プレイリストに含まれるコンテンツ識別情報に基づいて、プレイリスト作成処理部２５００内の著作権情報検索部１０４へ要求し著作権情報記憶部１１１から得られる著作権情報を取得するものである。
【０２０６】
プレイリスト確認部２６４０は、検査情報取得部２６１０、著作権情報取得部２６３０から視聴可能プレイリスト、視聴権利情報、および著作権情報を得て、視聴可能プレイリストが、正当に作成されているか否かを確認するものである。プレイリスト確認部２６４０は、確認結果が正当であると判断された場合には、特に何もしなくても良い。一方、
確認結果が不正であると判断された場合には、特に図示しないが、例えば再生部２０３へその旨通知し、再生の実行を停止させる。
【０２０７】
検査結果送信部２６５０は、確認結果が不正である場合に、視聴可能プレイリストと視聴権利情報とを組にして著作権管理サーバ２３００へ送信するものである。
【０２０８】
不正プレイリスト記憶部２８４０は、検査結果送信部２６５０から送られてきた情報を記憶するものである。
【０２０９】
以上説明した第３の実施の形態では、第２の実施の形態と同様、視聴可能プレイリストを作成するための専用のサーバが不要になり、映像視聴端末間で直接に、視聴可能プレイリストの授受が実現できる。更に、第３の実施の形態では映像視聴端末側で視聴可能プレイリストの正当性を確認できる。また、確認結果が不正である場合に、その視聴可能プレイリストと視聴権利情報とを組として記憶するから、著作権管理側でも不正を把握できる。なお、視聴可能プレイリストの正当性をユーザによる自己責任に任せる（著作権管理サーバ側は関知しない）場合には、不正プレイリスト記憶部２８４０は不要である。
【０２１０】
次に、第４の実施の形態について説明する。第４の実施の形態は、コンテンツの視聴を行う映像視聴端末がプレイリストを保持する映像視聴端末から取得したプレイリストおよびコンテンツの視聴を行う映像視聴端末に設定された利用者ごとの視聴権利情報から、著作権管理装置に登録された著作権情報を満たすように視聴可能プレイリストを作成し、視聴可能プレイリストと視聴権利情報とを著作権管理サーバに送信し、著作権管理サーバは視聴可能プレイリストが著作権情報を満たすように作成されていることを確認するというものである。つまり、視聴可能プレイリストの作成も、コンテンツの視聴を行う映像視聴端末で行うようにした実施の形態である。
【０２１１】
第４の実施の形態のコンテンツ管理システムの全体の構成は図２１に示したとおりであり、映像視聴端末２１２０と映像視聴端末２２２０とがネットワーク１０で接続可能であり、映像視聴端末２１２０、映像視聴端末２２２０と著作権管理サーバ２３２０とがネットワーク２０でそれぞれ接続可能な構成なっている。ここで、第４の実施の形態の著作権管理サーバ２３２０の内部構成は、第２の実施の形態の著作権管理サーバ２３００と同じ構成でよく、その説明は省略する。一方、第４の実施の形態の映像視聴端末２１２０、２２２０の内部構成は、第１乃至第３の実施の形態の映像視聴端末と同様な部分と異なる部分があるため、その構成を示すブロック図を図２７に示し以下に説明する。なお、第２および第３の実施の形態と同様に、映像視聴端末２１２０と映像視聴端末２２２０とは、同様のものであるため説明の重複は止め、また、以下の説明では便宜的に映像視聴端末２２２０を視聴可能プレイリストに基づいて視聴を行う端末とし、映像視聴端末２１２０を視聴可能プレイリストの元となるプレイリストを所有する端末として説明する。
【０２１２】
本実施の形態にかかる映像視聴端末２２２０は、端末送受信部２０２と、再生部２０３と、端末プレイリスト作成部２０４と、コンテンツ検索部２０５と、端末プレイリスト検索部２０７と、視聴権利情報取得部２０８と、視聴権利情報記憶部２１１と、コンテンツ記憶部２１２と、端末プレイリスト記憶部２１３とを備えている。これらは、第１の実施の形態の同一名称同一図番号の各部と同じ機能を備えるものであり、説明は省略する。また、映像視聴端末２２２０は、検査情報取得部２６１０と検査情報送信部２６２０を含む端末側検査処理部２６００を備える。これらは、第２の実施の形態の同一名称同一図番号の各部と同じ機能を備えるものであり、説明は省略する。更に、映像視聴端末２２２０は、プレイリスト要求部２９０１と、著作権情報記憶部２９０２と、著作権情報検索部２９０３と、プレイリスト作成部２９０４とを備える。
【０２１３】
プレイリスト要求部２９０１は、他の映像視聴端末２１２０で管理されているプレイリストの取得を要求するものである。映像視聴端末２２２０は、映像視聴端末２１２０へプレイリストの要求を行う際には、映像視聴端末２１２０で管理されているプレイリストのプレイリスト識別情報を、端末送受信部２０２を介して映像視聴端末２１２０に送信する。
【０２１４】
著作権情報記憶部２９０２、著作権情報検索部２９０３は、第１の実施の形態のプレイリスト作成サーバ１００に備えていた著作権情報記憶部１１２、著作権情報検索部１０５と同等の機能を備えている。そして、端末送受信部２０２が要求に応じて受信したプレイリストに記載されたコンテンツに対応する著作権情報が著作権情報記憶部２９０２に無い場合には、著作権管理サーバ２３２０から対応する著作権情報を取得し、記憶する。
【０２１５】
プレイリスト作成部２９０４は、ネットワーク１０経由で映像視聴端末２１２０から受信したプレイリストと、視聴権利情報記憶部２１１に記憶されている視聴権利情報と、ネットワーク２０経由で著作権管理サーバ３００から受信した著作権情報とから視聴可能プリイリストを作成するものである。
【０２１６】
図２８は、本実施の形態における視聴可能プレイリストの作成要求・プレイリストの受信・視聴可能プレイリストの作成・コンテンツの視聴・著作権管理サーバへの送信の全体の流れを示すフローチャートである。
【０２１７】
まず、映像視聴端末２２２０において、表示された既存のプレイリストから利用者が選択したプレイリストについて、プレイリスト要求部２９０１がプレイリストを要求する（ステップＳ１７０１）。次に、端末送受信部２０２が、要求されたプレイリストのプレイリスト識別情報を映像視聴端末２１２０に送信する（ステップＳ１７０２）。
【０２１８】
次に、映像視聴端末２１２０において、端末送受信部２０２が、映像視聴端末２２２０の端末送受信部２０２が送信したプレイリスト識別情報を受信する（ステップＳ１７０３）。続いて、端末プレイリスト検索部２０７が、受信したプレイリスト識別情報に対応するプレイリストを端末プレイリスト記憶部２１３から取得する（ステップＳ１７０４）。さらに、端末送受信部２０２は、このプレイリストを映像視聴端末２２２０に送信する（ステップＳ１７０５）。
【０２１９】
次に、映像視聴端末２２２０において、端末送受信部２０２が映像視聴端末２１２０の端末送受信部２０２が送信したプレイリストを受信する（ステップＳ１７０６）。続いて、著作権情報検索部２９０３が、受信したプレイリストと視聴権利情報記憶部２１１から取得した視聴権利情報とに対応する著作権情報が、著作権情報記憶部２９０２に存在するか否かを判断する（ステップＳ１７０７）。この判断は、前出の実施の形態と同様で良い。
【０２２０】
対応する著作権情報が存在すると判断された場合は（ステップＳ１７０７:ＹＥＳ）、著作権情報検索部２９０３は、著作権情報記憶部２９０２から当該著作権情報を取得する（ステップＳ１７０８）。このように、既に登録されている著作権情報を流用することにより、著作権管理サーバ２３２０に対する情報の送受信処理の負担を軽減することができる。
【０２２１】
ステップＳ１７０７において、対応する著作権情報が存在しないと判断された場合は（ステップＳ１７０７:ＮＯ）、図示しないサーバ送受信部が、著作権管理サーバ２３２０に対して著作権情報の取得依頼を送信する（ステップＳ１７０９）。具体的には、著作権管理サーバ２３２０に対して、コンテンツ識別情報と視聴権利情報とを送信する。
【０２２２】
次に、著作権管理サーバ２３２０において、著作権管理サーバ送受信部３０１が映像視聴端末２２２０から送信されたコンテンツ識別情報と視聴権利情報とを受信し、受信したコンテンツ識別情報と視聴権利情報とに対応する著作権情報を著作権情報記憶部３１１から取得し、映像視聴端末２２２０に送信する（ステップＳ１７１０）。
【０２２３】
次に、映像視聴端末２２２０において、図示しないサーバ送受信部が著作権管理サーバ２３２０の著作権管理サーバ送受信部３０１から送信された著作権情報を受信する（ステップＳ１７１１）。
【０２２４】
ステップＳ１７０８において著作権情報記憶部２２２から著作権情報を取得した後、または、ステップＳ１７１０において著作権管理サーバ送受信部３０１から著作権情報を受信した後、プレイリスト作成部２２０が視聴可能プレイリスト作成処理を実行する（ステップＳ１７１２）。プレイリスト作成部２９０４は、プレイリストと、視聴権利情報記憶部２１１からの視聴権利情報と、著作権情報とにより視聴可能プレイリストを作成する（ステップＳ１７１２）。視聴可能プレイリスト作成処理は前出と同じでよい。
【０２２５】
視聴可能プレイリストが作成された後、再生部２０３は作成した視聴可能プレイリストに従ってコンテンツの再生を行う（ステップＳ１７１３）。
【０２２６】
ステップＳ１７１３において、再生部２０３でコンテンツの再生が行われた後、映像視聴端末２２２０の端末側検査処理部２６００は当該視聴可能プレイリストと視聴権利情報とを著作権管理サーバ２３２０に送信する（ステップＳ１７１４）。
【０２２７】
著作権管理サーバ２３２０において、著作権管理サーバ送受信部３０１は、映像視聴端末２２２０の端末側検査処理部２６００が送信した視聴可能プレイリストと視聴権利情報とを受信し、端末情報記憶部２８１０に記憶する（ステップＳ１７１５）。
【０２２８】
この後、著作権管理サーバ２３２０は端末情報記憶部２８１０に記憶された視聴権利情報に従ってそれに対応して記憶された視聴可能プレイリストが正しく作成されていることを検査する。この検査方法については、第２の実施の形態と同じである。
【０２２９】
なお、映像視聴端末２１２０、２２２０の端末側検査処理部２６００および著作権管理サーバ２３２０のサーバ側検査処理部２８００をそれぞれ、第３の実施の形態の検査方法に変更することも可能である。
【０２３０】
以上説明した第４の実施の形態では、第２や第３の実施の形態と同様、視聴可能プレイリストを作成するための専用のサーバが不要になり、映像視聴端末間で直接に、視聴可能プレイリストの授受が実現できる。また、その視聴可能プレイリストが正当に作成されているかを著作権管理サーバで検査することができる。その検査の結果、不正な視聴可能プレイリストを所有する映像視聴端末に対して何らかの措置を講じることができる。更に、視聴可能プレイリストに基づくコンテンツの視聴を行う映像視聴端末内で視聴可能プレイリストを作成するので、自己の視聴権利情報を他の映像視聴端末へ送る必要が無くなった。その結果、視聴可能プレイリスト作成においての、視聴権利情報の改竄などの問題も生じることが無いので、コンテンツの視聴を行うユーザにとって、視聴可能プレイリストの信頼性も増す。また、プレイリストを保持する映像視聴端末は視聴可能プレイリストを作成する処理負荷が無くなるため、映像視聴端末が備えるべき処理能力を抑えることができ、視聴可能プレイリスト作成の処理負荷によりユーザが映像視聴端末を利用できなくなることがなくなる。
【図面の簡単な説明】
【０２３１】
【図１】第1の実施の形態にかかるプレイリスト作成サーバを含むコンテンツ管理システムの全体の構成を示すブロック図である。
【図２】第1の実施の形態にかかる映像視聴端末の構成を示すブロック図である。
【図３】端末視聴権利情報記憶部のデータ構造の一例を示す説明図である。
【図４】区分抽出情報の指定方法の一例を示す説明図である。
【図５】コンテンツ記憶部のデータ構造の一例を示す説明図である。
【図６】端末プレイリスト記憶部のデータ構造の一例を示す説明図である。
【図７】第1の実施の形態にかかる著作権管理サーバの構成を示すブロック図である。
【図８】著作権情報記憶部のデータ構造の一例を示す説明図である。
【図９】著作権規則情報の指定方法の一例を示した説明図である。
【図１０】第1の実施の形態にかかるプレイリスト作成サーバの構成を示すブロック図である。
【図１１】プレイリスト作成部の構成の詳細を示すブロック図である。
【図１２】著作権情報記憶部のデータ構造の一例を示す説明図である。
【図１３】プレイリスト記憶部のデータ構造の一例を示す説明図である。
【図１４】第1の実施の形態における視聴可能プレイリストの作成要求・作成・受信処理の全体の流れを示すフローチャートである。
【図１５】第1の実施の形態における視聴可能プレイリスト作成処理の全体の流れを示すフローチャートである。
【図１６】プレイリスト作成画面の一例を示す説明図である。
【図１７】コンテンツ選択画面の一例を示す説明図である。
【図１８】視聴可能プレイリスト作成画面の一例を示す説明図である。
【図１９】視聴可能プレイリスト表示画面の一例を示す説明図である。
【図２０】視聴可能プレイリストの一例を示す説明図である。
【図２１】第２乃至第４の実施の形態にかかるコンテンツ管理システムの全体の構成を示すブロック図である。
【図２２】第２の実施の形態にかかるコンテンツ管理システムの映像視聴端末２１００，２２００と著作権管理サーバ２３００の機能構成を示す図。
【図２３】第２の実施の形態の検証に係る機能ブロックを示したもの。
【図２４】第２の実施の形態の視聴可能プレイリストのデータ構造を示す図。
【図２５】第２の実施の形態における視聴可能プレイリストの検証の流れを示すフローチャート。
【図２６】第３の実施の形態の検証に係る機能ブロック図。
【図２７】第４の実施の形態の映像視聴端末２１２０、２２２０のブロック図。
【図２８】第４の本実施の形態における全体の流れを示すフローチャート。
【符号の説明】
【０２３２】
１０、２０  ネットワーク
１００  プレイリスト作成サーバ
１０１  プレイリスト作成部
１０１ａ  視聴制約区分取得部
１０１ｂ  視聴可能プレイリスト生成部
１０２  端末サーバ送受信部
１０３  サーバ間送受信部
１０４  著作権情報検索部
１０５  プレイリスト検索部
１１１  著作権情報記憶部
１１２  プレイリスト記憶部
２００  映像視聴端末
２０１  視聴可能プレイリスト要求部
２０２  端末送受信部
２０３  再生部
２０４  端末プレイリスト作成部
２０５  コンテンツ検索部
２０６  視聴可能プレイリスト検索部
２０７  端末プレイリスト検索部
２０８  視聴権利情報取得部
２１１  端末視聴権利情報記憶部
２１２  コンテンツ記憶部
２１３  端末プレイリスト記憶部
２１４  視聴可能プレイリスト記憶部
３００  著作権管理サーバ
３０１  著作権管理サーバ送受信部
３０２  著作権情報検索部
３１１  著作権情報記憶部
１６０１  プレイリスト作成画面
１６０２  表示エリア
１６０３  映像時刻エリア
１６０４  開始時刻登録ボタン
１６０５  終了時刻登録ボタン
１６１１  操作ボタン
１６１２  プレイリスト作成ボタン
１６１３  コンテンツ選択ボタン
１６２０  プレイリスト表示エリア
１７０１  コンテンツ選択画面
１７０２  表示エリア
１７０３  選択データ表示エリア
１７０４  決定ボタン
１７０５  キャンセルボタン
１８０１  視聴可能プレイリスト作成画面
１８０２  プレイリスト内容表示エリア
１８０３  チェックボックス
１８０４  視聴可能プレイリスト作成ボタン
１９０１  視聴可能プレイリスト表示画面
１９０２  再生区間表示エリア
１９０３  視聴可能区間表示エリア
１９０４  サムネイル画像
１９０５  チェックボックス
１９０６  ダウンロードボタン
２１００、２１１０、２１２０、２２００、２２１０、２２２０  映像視聴端末
２３００、２３１０、２３２０  著作権管理サーバ
２４００  映像視聴処理部
２５００  プレイリスト作成処理部
２６００  端末側検証処理部
２６１０  検証情報取得部  
２６２０  検証情報送信部
２６３０  著作権情報取得部
２６４０  プレイリスト確認部
２６５０  検証結果送信部
２７００  著作権管理処理部
２８００  サーバ側検証処理部
２８１０  端末情報記憶部
２８２０  検査プレイリスト決定部
２８３０  プレイリスト確認部
２８４０  不正プレイリスト記憶部
２９０１  プレイリスト要求部  
２９０２  著作権情報記憶部  
２９０３  著作権情報検索部
２９０４  プレイリスト作成部
【図１】
0004559943.tif 000002
【図２】
0004559943.tif 000003
【図３】
0004559943.tif 000004
【図４】
0004559943.tif 000005
【図５】
0004559943.tif 000006
【図６】
0004559943.tif 000007
【図７】
0004559943.tif 000008
【図８】
0004559943.tif 000009
【図９】
0004559943.tif 000010
【図１０】
0004559943.tif 000011
【図１１】
0004559943.tif 000012
【図１２】
0004559943.tif 000013
【図１３】
0004559943.tif 000014
【図１４】
0004559943.tif 000015
【図１５】
0004559943.tif 000016
【図１６】
0004559943.tif 000017
【図１７】
0004559943.tif 000018
【図１８】
0004559943.tif 000019
【図１９】
0004559943.tif 000020
【図２０】
0004559943.tif 000021
【図２１】
0004559943.tif 000022
【図２２】
0004559943.tif 000023
【図２３】
0004559943.tif 000024
【図２４】
0004559943.tif 000025
【図２５】
0004559943.tif 000026
【図２６】
0004559943.tif 000027
【図２７】
0004559943.tif 000028
【図２８】
0004559943.tif 000029